(57)【要約】      （修正有）【課題】移動しながら撮影する複数の撮影画像において、マーカで高精度に位置合わせを行い、さらにマーカが支障にならない合成画像を生成する。【解決手段】移動式マルチ画像撮影装置は、隣接して重なり合う複数の撮影領域を撮影する手段と、移動前後の撮影領域重なり合う共通撮影にマーカを付与する手段において、撮影手段が移動する中で撮影位置とマーカ付与位置の関係を導出する手段を有し、撮影手段の前進に合わせて前後する撮影について、前の撮影位置では撮影範囲に含まれるように被写体上に固定される少なくとも一つのマーカを付与し、後の撮影ではマーカが含まれるようにそのマーカ付与位置に対して特定の位置関係で撮影するように、マーカ付与と撮影のタイミングを制御して、マーカ付与画像群から各撮影領域間を繋ぎ合わせる補正パラメータを算出し、補正パラメータに基づいて、撮影した画像群を合成する。【選択図】図１
2016024516.tif 000002
【特許請求の範囲】
【請求項１】
連続的あるいは任意に断続的に移動しながら、隣接して重なり合う撮影領域を撮影する少なくとも一つのカメラからなる撮影手段と、
各前記撮影領域が重なり合う共通撮影領域の被写体上に、所定時間固定的に、マーカを付与する１または複数のマーカ付与手段を有し、
前記撮影手段および前記マーカ付与手段において、
前記撮影手段が移動する中で撮影位置とマーカ付与位置の関係を導出する手段を有し、
前記撮影手段の前進に合わせて前後する撮影について、前の撮影位置では撮影範囲に含まれるように被写体上に固定される少なくとも一つのマーカを付与し、後の撮影では前記マーカが含まれるようにそのマーカ付与位置に対して特定の位置関係で撮影するように、マーカ付与と撮影のタイミングを制御する手段を有し、
前記マーカ付与画像群から各前記撮影領域間を繋ぎ合わせる補正パラメータを算出する補正パラメータ算出手段と前記補正パラメータに基づいて、撮影した画像群を合成した合成画像を生成する画像合成手段と、
を備えることを特徴とする移動式マルチ画像撮影装置。
【請求項２】
請求項１記載の移動式マルチ画像撮影装置において、
前記撮影手段および前記マーカ付与手段が、
前記撮影手段が前進する行程の中で、
第１のマーカを付与して、
最初に撮影範囲に前記第１のマーカが含まれながら、次の第２のマーカまたはマーカ付与に関連する被撮影物を付与する被写体領域を付与する前に撮影した第１の画像と、
次に前記第１のマーカと付与した前記第２のマーカまたはマーカ付与に関連する被撮影物を含むように撮影した第２の画像と、
その次に、撮影範囲に前記第２のマーカが含まれながら、次の第３のマーカまたはマーカ付与に関連する被撮影物を付与する被写体領域を付与する前に撮影した第３の画像とを撮影するシーケンスを有し、
さらに、それ以降の撮影において順次付与した前記第３のマーカを次のシーケンスの前記第１のマーカに置き換える形で、前記シーケンスを繰り返して撮影する制御手段を有し、
取得した前記第１の画像，前記第２の画像，前記第３の画像の郡から、
前記第２のマーカ像の前記第３及び第２の画像の座標情報から両者を合成する補正値と、
前記第１のマーカ像の前記第２及び第１の画像の座標情報から両者を合成する補正値を導出して、
上記両補正値から、前記第３の画像のマーカまたはマーカ付与に関連する被撮影物の画像部を前記第１の画像で隠蔽するように画像合成することを特徴とする移動式マルチ画像撮影装置。
【請求項３】
請求項１記載の移動式マルチ画像撮影装置において、
前記撮影手段および前記マーカ付与手段において、前記撮影手段は非可視光／可視光カメラのような異なる第１と第２の二つの波長域に感度を有するカメラと、非可視光のような第１の波長からなり、第２の波長域ではフィルタでカットされる光からなるマーカ付与手段があり、
前記撮影手段が移動する中で少なくとも、
前記第１のマーカと前記第２のマーカを含む前記第１の画像と、
前記第２のマーカと前記第３のマーカを含む前記第２の画像を取得するシーケンスがあり、
それ以降の撮影において、順次付与した前記第３のマーカを次のシーケンスでの前記第１のマーカに置き換える形で前記シーケンスを繰り返して撮影する制御手段を有し、
取得した前記第１及び第２の画像の郡から、第１の波長域の画像からなる前記第１及び第２のマーカ画像から前記第２のマーカ像から前記第１及び第２の画像を合成するための補正値を導出して、第１と第２の可視光に準じる第２の波長域からなる画像郡に補正値を適用することで前記第２の波長域の画像を合成することを特徴とする移動式マルチ画像撮影装置。
【請求項４】
請求項１記載の移動式マルチ画像撮影装置において、
前記撮影手段が移動する中で撮影位置とマーカ付与位置の関係を導出する手段として、
前記マーカ付与位置と前記撮影位置に関して、カメラが実装された装置と被写体への前記マーカ付与位置の相対的な関係を、
前記移動式マルチ画像撮影装置の前進に伴い前記移動式マルチ画像撮影装置内を移動するマーカ支持部の相対位置導出する手法、
あるいは、前記移動式マルチ画像撮影装置またはマーカ付与機能部が異なる軌道を走行するときにマーカ付与機能部の走行位置を読み取り両者の位置関係から相対位置導出する手法、
により求めることを特徴とする移動式マルチ画像撮影装置。
【請求項５】
請求項４記載の移動式マルチ画像撮影装置において、
前記撮影手段が移動する中で撮影位置とマーカ付与位置の関係を導出する手段として、
前記マーカ付与位置と前記撮影位置に関して、カメラが実装された装置と被写体への前記マーカ付与位置の相対的な関係を、
前記移動式マルチ画像撮影装置の前進に伴い前記移動式マルチ画像撮影装置内を移動するマーカ支持部の位置を検知する装置内位置センサからなる相対位置導出する手法、
あるいは、マーカ付与部の接地センサからの信号発生時と前記移動式マルチ画像撮影装置の車輪の回転状態を表す回転角目盛り値が表す走行距離から相対位置導出する手法、
または、前記移動式マルチ画像撮影装置またはマーカ付与機能部が走行する軌道に刻まれた目盛りを読み取り、前記マーカ付与位置と装置の走行位置の関係から相対位置導出する手法、
により求めることを特徴とする移動式マルチ画像撮影装置。
【請求項６】
請求項２又は３の何れかに記載の移動式マルチ画像撮影装置において、
順次繰り返される撮影とマーカ付与のシーケンスにおいて、請求項２の前記第３の画像取得後に、または、請求項３の前記第２の画像取得後に、前記第１のマーカを浮上させて、前記第３のマーカ以降に再度、被写体に付与して利用することを特徴とする移動式マルチ画像撮影装置。
【請求項７】
請求項６記載の移動式マルチ画像撮影装置において、
前記マーカ付与手段として、前記移動式マルチ画像撮影装置中において左右あるいは内側外側の関係に並ぶ前記第１及び第２のマーカを付与する２つのマーカ付与機構があり、
夫々の前記マーカ付与機構は、
第１の駆動部に接続した昇降機構を有するフレームの下部先端に、点状のマーカを設置したマーカ昇降・被写体接地手段があり、
前記マーカ昇降・被写体接地手段を、マーカの接地時には前記移動式マルチ画像撮影装置内を後方にスライドさせるスライド部があり、浮上前進時には前記移動式マルチ画像撮影装置内を進行方向移動させる第２の駆動部を有し、
マーカ付与と撮影のシーケンス制御からの信号のタイミングに従い、左右あるいは内側外側の関係で並ぶマーカを前記移動式マルチ画像撮影装置内で前後に移動させながら、再利用するマーカを付与することを特徴とする移動式マルチ画像撮影装置。
【請求項８】
請求項７記載の移動式マルチ画像撮影装置において、
前記フレームの下部先端に設置する点状のマーカとして、ＬＥＤなどの自発光体、あるいは、高い点上の反射構造を有してカメラ近傍に配置された光源の光を高い反射する受動体からなる、高輝度なマーカを適用したことを特徴とする移動式マルチ画像撮影装置。
【請求項９】
請求項６記載の移動式マルチ画像撮影装置において、
前記マーカ付与手段として、前記移動式マルチ画像撮影装置中において左右あるいは内側外側の関係に並ぶ第１と第２のマーカを付与する２つのマーカ付与機構があり、
夫々の前記マーカ付与機構は、
第１の駆動部に接続した支柱上部に、少なくとも２つのマーカパターンを支柱位置から所定の方向の所定距離の被写体表面に照射するレーザを配置したマーカ付与機構があり、
マーカ付与と撮影のシーケンス制御からの信号のタイミングに従い、左右あるいは内側外側の関係に並ぶマーカ付与機構を順次、停止して被写体の特定点に固定的にマーカを形成したり、所定距離前進させたりして、再利用するマーカを付与することを特徴とする移動式マルチ画像撮影装置。
【請求項１０】
請求項７又は９の何れかに記載の移動式マルチ画像撮影装置において、
左右あるいは内側外側の関係に並ぶ第１と第２のマーカ付与するマーカ付与機構において、順次停止して被写体の特定点に固定的にマーカを形成したり、所定距離前進させたりする機構として、
左右または内側外側の関係に配置したマーカを付与するためにマーカ付与機能が付けられた支柱またはアームが接地、前進するに際して、
支柱またはアームの接地点を支点として、前記移動式マルチ画像撮影装置全体を持上げ前進させる力点に接続して、
左右あるいは内側外側のマーカが交互に接地、浮上を繰り返すように連動させて、
マーカ付与ならびに撮影手段を前進させる機能を有することを特徴とする移動式マルチ画像撮影装置。
【請求項１１】
請求項１０記載の移動式マルチ画像撮影装置において、
左右に並ぶ第１と第２のマーカを付与するマーカ付与機構において、順次停止して被写体の特定点に固定的にマーカを形成したり、所定距離前進させたりする機構として、
左右に配置したチェビシェフクランク機構の最短のフレームの回転中心を連結して、回転位置を反対の位相関係に配置して、最長のフレームの先端部の動きに連動するようにマーカ付与のために最下部に点状マーカを付したアームもしくはレーザを接続した支柱を接続したとマーカ付与ならびに撮影手段を前進させる機能を特徴とする移動式マルチ画像撮影装置。
【請求項１２】
請求項２又は３の何れかに記載の移動式マルチ画像撮影装置において、
前記マーカ付与手段と前記撮影手段における各マーカの撮影範囲内位置を適確な位置関係とする手段として、
カメラ画像からマーカ画像を抽出して、マーカ位置と撮影画像の位置を比較、撮影画像内の所定の位置にマーカ画像位置が配置されるように、カメラが接続されたチルト機構部のチルト角を制御する手段、もしくは、マーカ付与位置移動機構部の位置を制御する手段により、適正なマーカと撮影範囲の関係を得る手段を有することを特徴とする移動式マルチ画像撮影装置。
【請求項１３】
請求項２記載の移動式マルチ画像撮影装置において、
順次繰り返される撮影とマーカ付与のシーケンスにおいて、
前記第１のマーカから、順次、粘着性の材料をつけた点状の高反射の受動体を所定の間隔で被写体に付着して、撮影時にはカメラの近傍に配置した光源から光を照射して、高輝度マーカとして撮影することを特徴とする移動式マルチ画像撮影装置。
【請求項１４】
請求項１，２，３又は１３の何れかに記載の移動式マルチ画像撮影装置において、
前記撮影手段として、連続的あるいは任意に断続的に移動しながら、隣接して重なり合う撮影領域を撮影する第１のカメラと並列に進行方向に垂直で被写体に並行な方向に少なくとも一つの並列配置カメラを有し、
第１のカメラと並列配置カメラとで隣接して配置されるカメラの撮影範囲は隣接して重なり合う撮影領域を有するように配置され、
第１のカメラで撮影した画像郡と並列配置カメラで撮影した画像郡が一枚の合成画像を構成することを特徴とする移動式マルチ画像撮影装置。
【請求項１５】
請求項１，３又は１４の何れかに記載の移動式マルチ画像撮影装置において、
連続的あるいは任意に断続的に移動しながら、隣接して重なり合う撮影領域を撮影する少なくとも一つのカメラからなる撮影手段と、
各前記撮影領域が重なり合う共通撮影領域の被写体上に、少なくとも所定時間固定的に、同時に少なくとも二つ以上パタンを有するマーカを付与する１または複数のマーカ付与手段において、
前記撮影手段，前記マーカ付与手段およびその手段を支える構造が移動する機構が被写体の周囲に配置され、被写体に接することなく、被写体上の特定位置にマーカを付与しながら、撮影することを特徴とする移動式マルチ画像撮影装置。
【請求項１６】
請求項１，２，３，１３又は１５の何れかに記載の移動式マルチ画像撮影装置において、
前記撮影手段ならびにその手段を支える構造とマーカ付与する構造が分離して移動方向に連続手もしくは任意に断続的に停止しながら移動することを特徴とする移動式マルチ画像撮影装置。
【発明の詳細な説明】
【技術分野】
【０００１】
本発明は、連続的に移動しながら撮影する一連の高解像度な画像郡を安定して高精度に合成する移動式マルチ画像撮影装置に関する。
【背景技術】
【０００２】
近年、高度成長期に建築された橋梁やトンネルなどの構造物が耐用年数に達し始めたため、これら構造物の損傷状態を点検して修復や補修の必要性を判定する必要性が増大している。従来の構造物の損傷状態の点検に於いて、路上から構造物を点検できない場合には、点検作業員が足場を組んで目視観察していた。しかし、近年では、足場を組む費用の削減と点検作業員の安全性確保のため、カメラ撮影による観察技術が導入されてきている。構造物の損傷状態点検では、その点検範囲の面積は広く、また点検すべき亀裂は細かい。そのため、点検範囲全体の単一の撮影画像では、解像度が不足する虞がある。また、これまで広大な構造物の小さなひび割れを確認する場合の必要性について述べたが、他に、大型製品や大型の芸術品の微細な表面状態を広大な面積にわたり撮影する場合にも同類のニーズがある。
【０００３】
カメラ撮影による観察技術としては、複数のカメラ（マルチカメラ）あるいは一つのカメラの撮影範囲を変えて撮影した複数（マルチ）画像を合成して、広い範囲の画像を生成するものがある。撮影した複数（マルチ）画像を合成する一手法としては、隣接する撮影画像から共通の対象物を検索し、これを基準に繋ぎ合わせる方法がある。また、複数撮影画像を１枚の高解像度画像に合成する他の手法として、例えば、特許文献１に記載の方法がある。特許文献１の段落（０００４）には「ＣＣＤカメラ１の撮影視野内の対象物２にレーザビームを照射して、同ＣＣＤカメラ１により対象物２を撮影すること」と記載され、段落（０００５）には「２台以上のＣＣＤカメラ１の各撮影視野内の少なくとも共通撮影部分を含む対象物２にレーザビームを照射して、これらＣＣＤカメラ１により対象物２を撮影すること」と記載されている。段落（００１８）には、「レーザ装置３から出射されるレーザビームが複数のスポットビームであること」と記載され、段落（００１９）には、「レーザ装置３から出射されるレーザビームが２以上のラインビームを交差させたものであること」と記載されている。
【先行技術文献】
【特許文献】
【０００４】
【特許文献１】特開平９−１６１０６８号公報
【発明の概要】
【発明が解決しようとする課題】
【０００５】
１つのカメラを移動しながら撮影する隣接画像間では、隣接する画像の撮影時間が異なるため、特許文献１のように撮影する画像間で同時に共通撮影部分を構成することはできないという課題があった。また、先の一手法として述べたような撮影した隣接画像間で共通の撮影部分に存在する共通の被写体を検索する方法では、共通特徴点を輝度分布の相関から導きだす方法が用いられる。しかしながら、この方法では、輝度分布を２次元的に合わせるために輝度軸も含めると３次元的に相関を取る処理を行う必要があり、微細な画像でかつ画面寸法が大きくなると非常に処理が重くなるという課題があった。さらには、被写体には必ずしも識別可能な共通の特徴が存在するとも限らず、また、逆に類似した特徴が多数存在して共通の特徴が特定できないという課題もあった。
【０００６】
これらの課題を解決する手法として本発明者等によりなされた特許出願（特願２０１３−０３２７１３）がある。この先の特許出願においては、移動して撮影する画像合わせについて、請求項７にて「前記撮影制御手段は、前記撮影領域の移動方向前部にマーカが付与されていない第１画像群を取得したならば、前記マーカ付与手段によって前記撮影領域の移動方向前部に付着性のマーカを付与して第２画像群を取得し、前記付着性のマーカが移動方向後部になるように前記撮影領域が移動したならば、次の第１画像群を取得し、」とあるように、カメラの移動を停止して同じ場所で撮影領域の前方向にマーカを付与する前と付与した後の画像を撮影して、撮影終了後に移動して次の撮影期間に入ることとしていた。すなわち、この先の特許出願では、マーカ付与前後の２度の撮影を同じ撮影場所の撮影行うために停止する必要があり、連続的あるいは任意に断続的にカメラを移動させながら撮影することへの配慮がなされていなかった。本発明の課題は、連続的あるいは任意に断続的にカメラ移動しながら、移動方向の合成画像を得ることができる移動式マルチ画像撮影装置及び移動式マルチ画像撮影方法を提供することにある。また、先の特許出願においては、段落（００５６）にて、「・・・付着液滴マーカ３Ｄは、マーカ吐出部３１と、２個のノズル３２ａ，３２ｂとを備えている。付着液滴マーカ３Ｄは、マーカ吐出部３１からノズル３２ａ，３２ｂを介してマーカ液を噴出し、撮影領域６Ｄの移動方向の前半部分に、２個の付着性マーカである液滴マーカ５１Ｄ，５２Ｄを付着させる。」とあり、画像合わせのマーカは液滴などの粘着性の材料を利用する形態であり、被写体よりも高輝度なマーカを付与して、二値化処理などの処理の軽量化への配慮がなされていなかった。本発明の課題は、画像合わせ処理が容易となるように高輝度なマーカを付与する手法を提供することにある。
【課題を解決するための手段】
【０００７】
前記した課題を解決するため、請求項１に記載の発明では、
連続的あるいは任意に断続的に移動しながら、隣接して重なり合う撮影領域を撮影する少なくとも一つのカメラからなる撮影手段と、
各前記撮影領域が重なり合う共通撮影領域の被写体上に、所定時間固定的に、マーカを付与する１または複数のマーカ付与手段を有し、
前記撮影手段および前記マーカ付与手段において、
撮影手段が移動する中で撮影位置とマーカ付与位置の関係を導出する手段を有し、
前記撮影手段の前進に合わせて前後する撮影について、前の撮影位置では撮影範囲に含まれるように被写体上に固定される少なくとも一つのマーカを付与し、後の撮影では前記マーカが含まれるようにそのマーカ付与位置に対して特定の位置関係で撮影するように、マーカ付与と撮影のタイミングを制御する手段を有し、
前記マーカ付与画像群から各前記撮影領域間を繋ぎ合わせる補正パラメータを算出する補正パラメータ算出手段と前記補正パラメータに基づいて、撮影した画像群を合成した合成画像を生成する画像合成手段と、
を備えることを特徴とする。
【０００８】
ここで補正パラメータとは、両撮影領域間の傾き、サイズ、および、位置を合わせる情報のことをいう。
【０００９】
その他の手段については、発明を実施するための形態のなかで説明する。
【発明の効果】
【００１０】
本発明によれば、広い被写体表面を連続的にあるいは任意に断続的に移動するカメラ装置による複数の画像撮影において、高精度に画像合わせを行い、さらにマーカが支障にならない合成画像が、簡易に安定して生成することができる。
【図面の簡単な説明】
【００１１】
【図１】第１の実施形態に於ける移動式マルチ画像撮影装置の外観と動作を示す図である。
【図２】第１の実施形態に於ける機能ブロック構成と信号の流れを示す図である。
【図３】第１の実施形態に於けるタイミングチャートである。
【図４】第１の実施形態に於けるマルチ画像処理の説明を示す図である。
【図５】第1の実施形態に於ける移動式マルチ画像撮影装置の概略図である。
【図６】第１の実施形態に於けるマルチ画像処理を示すフローチャートである。
【図７】第２の実施形態に於ける移動式マルチ画像装置の外観と動作を示す図である。
【図８】第２の実施形態に於けるタイミングチャートである。
【図９】第２の実施形態に於けるマルチ画像処理の説明を示す図である。
【図１０】第２の実施形態に於ける移動式マルチ画像撮影装置の概略図である。
【図１１】第２の実施形態に於けるマルチ画像処理を示すフローチャートである。
【図１２Ａ】第３の実施形態に於ける移動式マルチ画像撮影装置の上面図である。
【図１２Ｂ】第３の実施形態に於ける移動式マルチ画像撮影装置の側面図である。
【図１２Ｃ】第３の実施形態に於ける移動式マルチ画像撮影装置の正面図である。
【図１３】第３の実施形態に於ける移動式マルチ画像撮影装置の動作を示す図である。
【図１４】第３の実施形態に於けるタイミングチャートである。
【図１５】第３の実施形態に於けるマルチ画像処理の説明を示す図である。
【図１６】第３の実施形態に於けるマルチ画像処理を示すフローチャートである。
【図１７Ａ】第４の実施形態に於ける移動式マルチ画像撮影装置の上面図である。
【図１７Ｂ】第４の実施形態に於ける移動式マルチ画像撮影装置の側面図である。
【図１７Ｃ】第４の実施形態に於ける移動式マルチ画像撮影装置の正面図である。
【図１８】第４の実施形態に於ける機能ブロック構成と信号の流れを示す図である。
【図１９】第４の実施形態に於けるタイミングチャートである。
【図２０】第４の実施形態に於ける撮影範囲とマーカ付与位置の関係図である。
【図２１】第４の実施形態に於けるマルチ画像郡構成構図である。
【図２２】第４の実施形態に於けるマルチ画像処理を示すフローチャートである。
【図２３Ａ】第５の実施形態に於ける移動式マルチ画像撮影装置の上面図である。
【図２３Ｂ】第５の実施形態に於ける移動式マルチ画像撮影装置の側面図である。
【図２３Ｃ】第５の実施形態に於ける移動式マルチ画像撮影装置の正面図である。
【図２４】第５の実施形態に於けるマルチ画像郡構成構図である。
【発明を実施するための形態】
【００１２】
以下、本発明を実施するための形態を、各図を参照して詳細に説明する。
【００１３】
各実施形態では、例として、コンクリート構造物の表面の亀裂などを、カメラを移動しながら表面観察する場合を示している。
（第１の実施形態）
隣接する画像間の画像合わせに利用するマーカを再利用する形態について移動式マルチ画像撮影装置の外観と動作を図１に示す。図１の（ａ）に移動式マルチ画像撮影装置１−１の側面図と動作、（ｂ）に上面図を示す。
【００１４】
移動式マルチ画像撮影装置１−１は、被写体構造物４の表面を撮影するカメラ２と、被写体構造物４の表面上にマーカ３を付与するマーカ付与部７と、マーカ付与とカメラによる撮影等を制御する制御部８と、画像処理部９と、移動のための車輪６１を駆動する車輪駆動部６とにより構成される。
【００１５】
マーカ３は、実際には、アフィン変換など座標変換により隣接する画像間の傾き，倍率，位置のパラメータを取得するために、少なくとも２つ以上のパタンを同時に付与するが、構成の便宜上の表現として一つのマーカで表している。
【００１６】
移動式マルチ画像撮影装置１−１は、車輪６１の回転により前方へ移動する間に、以下のシーケンスでマーカを付与しながら被写体構造物４上の亀裂４１などの撮影を行う。
【００１７】
マーカ３の付与は、左右のＡとＢの二つの付与機構により、Ａのマーカ３−ＡとＢのマーカ３−Ｂにより、順次交互に付与される(３−Ａ−１，３−Ｂ−１，３−Ａ−２，３−Ｂ−２，・・・)。ここで、ＡとＢのマーカ３−Ａと３−Ｂは、図１(ｂ)に示すように、それぞれ少なくとも二つ以上のマーカから構成される。  移動式マルチ画像撮影装置１−１の移動中、マーカ付与部７が二つのマーカ３−Ａと３−Ｂを交互に被写体構造物４に付与する。最初の移動後の撮影領域１０−１には、マーカ３−Ａ−１が付与された状態で、次のマーカ３−Ｂ−１を付与する位置を含むように、マーカ３−Ｂ−１を付与する前の画像を撮影１２−１する。次に、移動式マルチ画像撮影装置１−１が前方に移動すると共にカメラ２が移動して第二の撮影領域１０−２では固定されたマーカ３−Ａ−１と、新たに付与したマーカ３−Ｂ−１を含むように第二の画像の撮影１２−２を行う。次には、さらに移動式マルチ画像撮影装置１−１が前方に移動する中で、カメラ２の撮影範囲にマーカ３−Ｂ−１が含まれて、次のマーカ付与位置３−Ａ−２にマーカ３−Ａが付与される前に第三の画像を撮影１２−３する。第三の画像を撮影した後、マーカ３−Ａはマーカ付与地点３−Ａ−１から上昇して、次の撮影の前に、次のマーカ位置に移動して付与される。この行程を繰り返し、Ｍを自然数として、第４Ｍ−３の領域の撮影１２−４Ｍ−３では、３−Ａ−Ｍのマーカ地点にマーカ３−Ａが付与されており、次の第４Ｍ−２の撮影１２−４Ｍ−２では３−Ａ−Ｍのマーカ地点と３−Ｂ−Ｍのマーカ地点に付与されたマーカ３−Ａ、３−Ｂを含む。その後３−Ａ−Ｍ＋１のマーカ地点にマーカ３−Ａを付与する前に、３−Ｂ−Ｍ地点のマーカ３−Ｂのみを含む状態で第４Ｍ−１の撮影１２−４Ｍ−１をして、次に、３−Ａ−Ｍのマーカ地点のマーカ３−Ａの浮上、移動、３−Ａ−Ｍ＋１の地点への付与することを繰り返して、移動しながら、画像郡を取得する。浮上したマーカが撮影範囲に含まれないように配置・制御する。仮に含まれる場合でもマーカ付与前に撮影した撮影範囲であれば、接地されたマーカと同様に隠蔽されるので問題ない。また、自発光型の高輝度マーカであれば、浮上時に消灯することで、マーカとして誤認識されることもない。
【００１８】
図２に移動式マルチ画像撮影装置１−１の機能ブロック図を示す。制御部８は、車輪駆動部６，カメラ２，画像処理９，マーカ付与部７の各種情報を収集したり、各々へ制御信号を発して動作指示したりする。移動式マルチ画像撮影装置１−１は、マーカ付与部７にて被写体構造物４の表面上にマーカ３を付与して、マーカ３を含む画像をカメラ２で撮影する。カメラ２で撮影した画像情報Ｉ９は画像処理部９の画像取込・保持部９０に伝えられ、マーカ・本体相対位置検出部７２から得られた情報Ｉ７を元にタイミング制御部８２が情報Ｉ１０を発し、それを受けた画像取込・保持部９０はそれぞれの処理方法に適した画像情報をマーカ像抽出画像間補正値導出部９１や合成処理部９２に流す。初期の静止状態から、動作制御部８１の指示Ｉ１５により車輪駆動部６が動き出し、その駆動力Ｉ６が車輪６１に伝えられて、移動式マルチ画像撮影装置１−１が前進する。移動に伴い、相対的なマーカ付与位置と移動式マルチ画像撮影装置１−１を検知するマーカ・本体相対位置検出部７２で適切な位置を検出するとタイミング制御部８２にその位置情報Ｉ７が伝えられ、そこから、撮影タイミング指示Ｉ２がカメラ２に、反対側のマーカの接地や浮上指示Ｉ１４がマーカ接地動作部７１に夫々伝えられ、撮影やマーカの付与を行う。画像取込・保持部９０からのマーカ隠蔽用の画像情報Ｉ１１が合成処理部９２に入力されて、マーカ像抽出画像間補正値導出部９１からの画像補正情報Ｉ１２に基づき、マーカを隠蔽した画像が合成される。その画像合成情報Ｉ１３は合成画像情報蓄積出力部９３に送られて様々な画像特定情報と共に蓄積され、必要に応じて外部表示／処理部１１に出力され、画像を表示したり、画像情報を通信で送信したりする。さて、移動式マルチ画像撮影装置１−１が被写体構造物４の表面を走行する場合、表面に激しい凹凸があると移動式マルチ画像撮影装置１−１が傾き、カメラ２の撮影範囲とマーカ３の付与位置の関係がマーカ３と装置本体との距離による望ましい関係からずれてマーカ３を撮影範囲に含められなくなる。このようなケースに対応するために、カメラ２のチルト角（撮影傾き角）が変えられるカメラ機構部６６に置き換える。タイミング制御部８２からマーカ３の付与情報に基づく制御信号Ｉ１６を画像処理のマーカ・撮影範囲相関位置検出部９４や制御部８のチルト角制御部 ８４に送る。マーカ３の位置と望ましい撮影位置の関係を得るために、状態監視用の撮影をして画像取込・保持部９０からマーカ・撮影範囲相関位置検出部９４に状態監視信号Ｉ１７が送付され、その画像から、マーカ３と撮影範囲の関係を求め、望ましい撮影位置からのずれ情報Ｉ１８をチルト角制御部 ８４に送る。チルト角制御部 ８４はその情報に基づき、チルト角補正制御情報Ｉ１９をチルト角駆動部６７に送付して望ましい撮影角度を得る。
【００１９】
図３に第１の実施形態のタイミングチャートを示す。図１で示したマーカを再利用する移動式マルチ画像撮影装置１−１のタイミング制御部８２の信号に基づく、関連機能部の動作を示す。図中、最上位(１)は移動式マルチ画像撮影装置１−１の移動を表し、上から、(２)はマーカ３−Ａの点灯、(３)はマーカ３−Ｂの点灯、(４)はマーカ３−Ａの浮上と移動、(５)はマーカ３−Ｂの浮上と移動、(６)はマーカ３−Ａ-１地点での接地、(７)はマーカ３−Ｂ−１地点での接地、(８)はマーカ３−Ａ−２地点での接地、(９)はマーカ３−Ａの接地／浮上信号、(１０)はマーカ３−Ｂの接地／浮上信号、(１１)はカメラの撮影のトリガ信号、(１２)は撮影、(１３)はマーカ画像処理、(１４)はマーカ隠蔽画像処理のタイミングの関係を、夫々示している。ここでのタイミングとは、厳密な時間の推移を意味するものではなく、動作の前後関係を意味するものであり、例えば最上位(１)の装置の移動のシーケンスは必ずしも連続的な移動である必然性はなく、任意に断続的な移動を含む。また、(６)〜(８)で上下の地点を含む実線の枠は、撮影１２−０−Ａ〜１２−４時の撮影範囲に含まれるマーカ３−Ａ−１〜３−Ａ−２の関係を示し、破線は一連の撮影動作の関連を示している。マーカＡ，マーカＢの点灯については、図１の説明中、浮上したマーカが撮影範囲に入る場合には、マーカの浮上／移動に連動して消灯／点灯を制御することが望ましい。ここでは、簡単のため、連続点灯とする。初期の静止状態で、(１１)の撮影トリガにより、マーカが付与されていない画像を撮影１２−０−Ａし、(１４)ではマーカのない画像を保持１５−０する。次に、(９)のマーカ３−Ａ接地信号でマーカ３−Ａが(６)第１地点３−Ａ−１に接地して、(１１)撮影トリガにより、撮影１２−０−Ｂし、静止地点で付与したマーカ３−Ａを含む画像から、マーカ画像処理１４−０を行う。(１)移動式マルチ画像撮影装置１−１の移動が開始して、その移動に伴い、撮影地点が移動し、(１１)の撮影トリガにより、次の撮影１２−１が実行されて、マーカ画像処理１４−１，マーカ隠蔽画像処理１５−１が行われる。さらに移動するに当たり、マーカ３−Ｂの付与信号(１０)により、第２地点３−Ｂ−１にマーカ３−Ｂが移動接地して付与される。(６)のマーカ３−Ａ−１地点のマーカ３−Ａと(７)のマーカ３−Ｂ−１地点のマーカ３−Ｂを含んだ撮影１２−２が実行されて、マーカ画像処理１４−２が実行される。以降、この装置の移動に伴い、マーカ３−Ａ，３−Ｂの浮上と接地、撮影が順次繰り返され、マーカ画像処理とマーカ隠蔽画像処理が進められる。
【００２０】
図４は、第１の実施形態における移動して撮影したマルチ画像の処理の図である。図４(ａ)は、最初の撮影画像１３−０−Ａを周囲の被写体構造物４の表面状態に重ねて示した図である。画像１３−０−Ａは移動式マルチ画像撮影装置１−１が静止状態において、マーカ地点３−Ａ−１にマーカ３−Ａを付与させる前にカメラ２によって撮影した画像である。この画像から、合成用画像１５−０を得る。図４(ｂ)は、移動式マルチ画像撮影装置１−１が静止状態でマーカ地点３−Ａ−１にマーカ３−Ａを付与し、マーカ３−Ａの画像と共にマーカ支持部５−Ａも含む撮影画像１３−０−Ｂと、高輝度マーカ画像から二値化処理に取得したマーカ画像１４−０である。撮影画像１３−０−Ｂの画素座標系を（ａｘ，ａｙ）とする。図４(ｃ)は、マーカ地点３−Ａ−１にマーカ３−Ａを接地固定状態で移動式マルチ画像撮影装置１−１が移動開始して、撮影した画像１３−１と、二値化処理したマーカ画像１４−1と、合成用画像１５−１を示す。ここで、撮影画像１３−１の座標系を（ｂｘ，ｂｙ）とする。先のマーカ画像１４−０と本マーカ画像１４−１の共通のマーカ３−Ａ−１の画素座標の比較からアフィン変換係数［Ａ１］を得ることにより、両者の画像の共通座標化、すなわち、次式(１)とする合成用の補正値パラメータ［Ａ１］からマーカ画像合成１６−１を得る。
【００２１】
【数１】
2016024516.tif 000003
【００２２】
合成用画像１５−１の上に最初に撮影した画像１５−０を、合成用画像１５−１のマーカ地点３−Ａ−１のマーカ３−Ａ像とそれに付随したマーカ支持部５−Ａ像が隠蔽されるように重ねることで、マーカおよびマーカ支持部が写っていない合成画像１７−１を得ることができる。
【００２３】
図４(ｄ)はさらに移動式マルチ画像撮影装置１−１が移動して、新たにマーカ地点３−Ｂ−１にマーカ３−Ｂを被写体構造物４の表面に付与し、マーカ３−Ｂと共にマーカ支持部５−Ｂも含み、合わせて既に付与されているマーカ３−Ａと共にマーカ支持部５−Ａを含むように撮影した撮影画像１３−２である。この画像１３−２から、二値化して得たマーカ画像が１４−２である。
【００２４】
図４(ｅ)はさらに移動式マルチ画像撮影装置１−１が移動して、次のマーカ地点３−Ａ−２にマーカ３−Ａを付与する前に既に接地固定したマーカ地点３−Ｂ−１のマーカ３−Ｂが含まれる状態で撮影した撮影画像１３−３と、二値化して得たマーカ画像１４−３である。撮影画像１３−３の画素座標系を（ｃｘ，ｃｙ）とする。先のマーカ画像１４−２とマーカ画像１４−３の共通のマーカ３−Ｂの画素座標の比較からアフィン変換係数［Ａ２］を得ることにより、両者の画像の共通座標化、すなわち、次式(２)の合成用補正値パラメータ［Ａ２］を得てマーカ画像合成１６−３を得る。
【００２５】
【数２】
2016024516.tif 000004
【００２６】
先のマーカ画像合成図１６−１でマーカ３−Ａ像から得た座標補正値を適用すると、アフィン変換行列により、次式(３)の座標共通化を得る。
【００２７】
【数３】
2016024516.tif 000005
【００２８】
これにより、これまで撮影してきた一連の画像郡のマーカ画像合成１７−３を得る。この補正値を、画像合成用画像１５−０〜１５−３に適用することで合成画像１７−３を得ることができる。
【００２９】
上記移動状態での撮影画像取得１３−１，１３−２，１３−３やマーカ画像１４−１〜１４−３からの補正値の導出や画像１５−１，１５−３への補正値の適用による画像合成を、図１の動作の流れに適用して、Ｍを自然数として、４Ｍ−３番目の撮影では、マーカＡのＭ回目の付与の画像１３−４Ｍ−３を取得し、４Ｍ−２番目の撮影では、マーカＢのＭ回目を付与してＭ回目のマーカＡとマーカＢの画像１３−４Ｍ−２を取得し、同様の補正値の導出と画像合成を行うことで、静止時の画像から一連のマーカを基準にした補正値によりながら、マーカ像のない画像合成郡を得ることができる。
【００３０】
図５は、図１に示した移動式マルチ画像撮影装置１−１の具体的な構成例示した概要図である。本体６３には４つの車輪６１が着いており、装置移動モータ６２の駆動力により、装置全体が前進する。本体６３にはカメラ固定フレーム５５を介して撮影用のカメラ２を装置上部に固定している。マーカ３−Ａとマーカ３−Ｂ（図中見えず）はマーカ接地用アーム７５−Ａと７５−Ｂの先端に固定されている。マーカ接地用アーム７５−Ａ，７５−Ｂは、被写体に対してほぼ垂直に設定されて、夫々マーカ浮上・接地動作部７１−Ａ，７１−Ｂに接続され、マーカ浮上・接地用モータ７５−Ａ，７５−Ｂで上下されるようになっている。夫々のマーカ浮上接地機構部７６−Ａ，７６−Ｂはマーカ３−Ａあるいはマーカ３−Ｂが接地して被写体構造物４の表面に固定された状態では、水平スライダー７７−Ａ，７７−Ｂ（図中見えず）にフリーな状態で搭載されて、移動式マルチ画像撮影装置１−１の前進に伴い、相対的に移動式マルチ画像撮影装置１−１内を後方に移動することになる。スライダー７７−Ａ，７７−Ｂには、所定位置として、マーカ３−Ａ接地後の最初の撮影位置に位置センサ８３−Ａ−１をマーカ３−Ｂの接地起動位置に位置センサ８３−Ａ−２をそして、二回目の撮影位置に位置センサ８３−Ａ−３が配置されている。マーカ浮上接地機構部７６−Ａが夫々の位置検出器の位置に来ると、検知信号をマーカ・本体相対位置検出部７２に発して、そこから制御部８に入力される。マーカ３−Ｂ側のスライダー７７−Ｂにも同様に位置センサ８３-Ｂ-１〜８３−Ｂ−３が設置されている（図中では見えず）。移動式マルチ画像撮影装置１−１の前進に伴い、接地したマーカ３−Ａまたは３−Ｂを保持するマーカ浮上接地機構部７６−Ａ，７６−Ｂが反対側の位置センサ８３−Ｂ−２，８３−Ａ−２の検知信号をきっかけに、制御部８からマーカ浮上接地機構部７６−Ａ，７６−Ｂはマーカ浮上接地用モータ７５−Ａ，７５−Ｂを駆動してマーカ３−Ａ，３−Ｂを浮上して、水平移動モータ７８−Ａ，７８−Ｂを駆動して、水平駆動連結ケーブル７９−Ａ，７９−Ｂにより引張られてマーカ浮上接地機構部７６−Ａ，７６−Ｂを前方向のスライダー７７−Ａ，７７−Ｂ上を先端まで移動し、さらに、マーカ浮上接地用モータ７５−Ａ，７５−Ｂを駆動してマーカ３−Ａ，３−Ｂを接地するものである。尚、マーカ３−Ａ，３−Ｂが接地して、マーカ浮上接地機構部７６−Ａ，７６−Ｂがスライダー７７−Ａ，７７−Ｂ上をフリーに移動する状態では、マーカ浮上接地用モータ７５−Ａ，７５−Ｂは停止状態で、フリーに回転できる状態にある。収集された情報あるいは、外部からの電源供給や制御信号は外部接続ケーブル６４を介して交信、あるいは、供給される。図中において、各モータや位置センサ８３やマーカ３の信号線や電源線は省いている。
【００３１】
上記はスライダー７７−Ａ，７７−Ｂが比較的水平になる、例えば、構造物の屋根や橋梁などの底面など水平な構造物表面の撮影用で、マーカ浮上接地機構部７６−Ａ，７６−Ｂがフリーな状態で移動する構成を示したが、建築物の壁や橋脚など垂直となる面では、マーカ浮上接地機構部７６−Ａ，７６−Ｂの重量を補償するように、滑車機構とケーブルとバランス用の荷重をマーカ浮上接地機構部７６−Ａ，７６−Ｂに付加して、エレベータやケーブルカーのように重力バランスをとることにより、本実施形態の機構が適用できる。
【００３２】
図６(ａ)，(ｂ)は第１の実施形態における撮影と画像処理を示すフローチャートである。図６(ａ)は、移動式マルチ画像撮影を示すフローチャートである。
【００３３】
ステップＳ１０において、制御部８は撮影処理の初期化と、画像処理の初期化を行う。
【００３４】
ステップＳ１１において、移動式マルチ画像撮影装置１−１は初期位置に移動して停止する。
【００３５】
ステップＳ１２において、制御部８のタイミング制御部８２からの信号をカメラ２が受けて初回の撮影をする。
【００３６】
ステップＳ１３において、タイミング制御部８２からの信号をマーカ付与部７のマーカ浮上接地機構部７６−Ａが受けてマーカ浮上接地用モータ７５−Ａを駆動して、マーカ３を最初の接地地点３−Ａ−１にマーカ３−Ａを接地する。
【００３７】
ステップＳ１４において、タイミング制御部８２からの信号をカメラ２が受けてマーカ３−Ａ−１地点のマーカ３−Ａを含む画像を撮影する。
【００３８】
ステップＳ１５において、タイミング制御部８２からの信号を動作制御部８１が受けて、車輪駆動部６に伝えて、車輪６１を駆動して、本体６３を前進させる。
【００３９】
ステップＳ１６において、次のマーカを付与するかどうかを制御部８で判断する。マーカを付与する場合には、ステップＳ１７のマーカの種別判断へ行き、付与しない場合には、撮影の終了に行く。
【００４０】
ステップＳ１７において、付与した一つ前のマーカがＢ側かＡ側かを判断し、Ａ側の場合にはステップＳ１８に進み、Ｂ側の場合にはステップＳ２３に進む。
【００４１】
ステップＳ１８において、次のマーカ地点３−Ｂ−１にマーカ３−Ｂの付与を指示に従い水平移動モータ７８−Ｂを駆動して水平駆動連結ケーブル ７９−Ｂを介して接続されたマーカ浮上接地機構部７６−Ｂが水平移動用スライダー７７−Ｂ上を所定位置まで前進して停止し、マーカ浮上接地用モータ７５−Ｂを駆動して、接地地点マーカ３−Ｂ−１にマーカ３−Ｂを接地する。
【００４２】
ステップＳ１９において、スライダー７７Ｂには、接地固定したマーカ３−Ｂと移動する本体６３の相対位置センサ８３−Ｂ−１からの検知信号を受けたタイミング制御部８２からの信号をカメラ２が受けて、マーカ３−Ａとマーカ３−Ｂを含む画像を撮影する。
【００４３】
ステップＳ２０において、ステップＳ１９の撮影が終了し、スライダー７７Ａの位置センサ８３−Ａ−３からの検知信号を受けたタイミング制御部８２からの信号をマーカ浮上接地機構部７６−Ａが受けてマーカ浮上接地用モータ７５−Ａを駆動して、マーカ３−Ａを浮上させて待機する。
【００４４】
ステップＳ２１において、スライダー７７−Ｂ上の位置センサ８３−Ｂ−２から信号を受けたタイミング制御部８２からの信号をカメラ２が受けて、マーカ３−Ｂを含む画像を撮影する。
【００４５】
ステップＳ２２において、次の撮影を実行するか否かを制御部８で決定して、実行する場合には、ステップＳ１７に戻る。
【００４６】
ステップ２３〜ステップ２６は、前マーカがＢ側であると判断した場合に、ステップＳ１８〜ステップＳ２０のフローをマーカＢとマーカＡを置き換えて繰り返す。
【００４７】
ステップＳ１７〜ステップＳ２６のフローは次の撮影を実行するか否かのステップＳ２２の判断が“Ｎｏ”となるまで繰り返され、一連の撮影を行い、画像データを取得して、終了する。
【００４８】
図６の(ｂ)は図２のブロック図において、画像処理部９における画像処理のフローを示した図である。
【００４９】
画像処理部９の画像取込・保持部９０が撮影画像を取込むタイミングで画像処理が開始される。
【００５０】
ステップＳ３０において、その画像情報がマーカ像抽出画像間補正値導出９１に送られる。
【００５１】
ステップＳ３１において、図３あるいは図４におけるマーカ画像１４が、輝度に一定の閾値をつけた二値化処理により得られる。
【００５２】
ステップＳ３２において、一つのマーカ地点のマーカを含む画像から遡り、連続して取得したマーカ画像が３つあるか否を判断して、“Ｎｏ”の場合には次の撮影マーカ撮影による画像データの取得に行き、３つ以上あれば次の処理に進む。
【００５３】
ステップＳ３３において、今回撮影した画像と前回撮影したマーカ画像の共通の地点付与したマーカ像の座標、例えば、図４のマーカ画像１４−３と１４−２における３−Ｂ−１地点に付与したマーカ３−Ｂの画像の座標、からアフィン変換係数を求めて、これを補正値１として導出する。
【００５４】
ステップＳ３４において、ステップＳ３３の処理と同様の処理を前回マーカ画像および前々回のマーカ画像の座標、上記例に対応すると、マーカ画像１４−２とマーカ画像１４−１におけるマーカ３−Ａ−１地点に付与したマーカ３−Ａの画像の座標、からアフィン変換係数を求めて、これを補正値２として導出する。
【００５５】
ステップＳ３５において、上記二つの補正値１と２を、今回の合成用画像と前々回の合成用画像、上記例にそくするならば合成用画像１５−３と１５−１、の画像合わせに適用して、今回の画像、例では１５−３のマーカ３−Ｂ画像とマーカ支持部５−Ｂ、を隠蔽するように前々回の画像、例では１５−１、あるいは、これまでのマーカ隠蔽した合成画像、例では１７−１で隠蔽するように合成することで今回の撮影した画像までのマーカを隠蔽した合成画像、例では１７−３を得る。
【００５６】
尚、初期の合成画像は、マーカ画像１４−０と１４−１から得たマーカ３−Ａの画像座標からアフィン変換係数を求めて、合成用画像１５−０と１５−１に補正値として適用して、合成画像１７−１を求める。
【００５７】
以上の一連の画像処理を実行することで、終了する。
（第１の実施形態の効果）
以上説明した第１の実施形態では、次の（Ａ）〜（Ｈ）のような効果がある。
【００５８】
（Ａ）連続、あるいは任意に断続的に移動しながら、長い距離の被写体表面の高精細な画像から容易に画像合成が容易に得られる。
【００５９】
（Ｂ）連続、あるいは任意に断続的に移動しながら、長い距離の被写体表面の高精細な画像から容易に画像合成がを得るためのマーカとして可視光や非可視光などの制限なく、マーカを隠蔽した合成画像が得られる。
【００６０】
（Ｃ）マーカを付与するマーカ機構とカメラを搭載した機構の相対的な位置関係を得る位置センサを実装することで、容易に撮影タイミングや次のマーカ付与のタイミングを得ることができる。
【００６１】
（Ｄ）付与するマーカが再利用できるので、準備するマーカ数を減らして、システムとしてコンパクトな構成が得られると共にマーカを付着物として被写体上に残さないことから、付与するマーカを取り除く作業を行うことなく、被写体や周囲がそのまま保たれる。
【００６２】
（Ｅ）移動式マルチ画像撮影による隣接画像間の合成用共通マーカ処理において、高輝度なマーカが使えることから画像合わせ処理で二値化画像が使えるために処理が軽くなる。
【００６３】
（Ｆ）マーカを被写体表面に対してほぼ垂直に降下、昇降させるマーカアーム浮上接地機構により、被写体表面の凹凸が激しい場合でも、昇降範囲を拡大することで装置が移動するときの表面の凹凸への衝突を回避することができる。
【００６４】
（Ｇ）固体のマーカを被写体表面に直接付与するので、レーザ光照射のような被写体の表面状態に依存することなく、安定したマーカが得られる。
【００６５】
（Ｈ）撮影範囲とマーカ付与位置の位置関係を、撮影画像を見ながら、カメラのチルト角の調整により、最適な撮影位置に調整することができるので微細な撮影範囲とマーカ像の位置関係を得ることができる。
（第２の実施形態）
図７は、第２の実施形態に於ける移動式マルチ画像撮影装置の外観と動作を示す図である。図７の(ａ)に移動式マルチ画像撮影装置１−２の側面図と動作、(ｂ)に上面図を示す。第１の実施形態と第２の実施形態の違いを図７と図１を比較して示し、第２の実施形態の特徴をあら表す内容に重点を置いて説明する。第２の実施形態では移動式マルチ画像撮影装置１−２でのマーカ３付与は、第１の実施形態の移動式マルチ画像装置の左右Ａ，Ｂの二つの構成に対してマーカ付与機構が一つしかなく、一連のマーカ３が被写体構造物４表面に使い捨てのイメージで付着されて、即座には再利用しないことにある。移動式マルチ画像撮影装置１−２が前進するに伴い、マーカ３−１，３−２を付着しながら、マーカ画像を撮影する。その動作を第２Ｎ番目の撮影２２−２Ｎから第２（Ｎ＋１）の流れで一般化して示したのが図７である。撮影２２−２Ｎでは、マーカ３−Ｎが被写体構造物４の表面に付与された状態で、マーカ３−Ｎ＋１が付与される予定の領域を含みながら、第マーカ３−Ｎ＋１が付与される前撮影範囲１０−２Ｎの撮影を行う。次に、移動式マルチ画像撮影装置１−２が前進する中で、マーカ付与部７の動作により、マーカ３−Ｎ＋１が付与され、マーカ３−Ｎとマーカ３−Ｎ＋１を含むような撮影範囲１０−２Ｎ＋１の撮影２２−２Ｎ＋１が実行される。さらに、移動式マルチ画像撮影装置１−２が前進する中で、撮影２２−２（Ｎ＋１）では、マーカ３−Ｎ＋１が被写体構造物４の表面に付与された状態で、マーカ３−Ｎ＋２が付与される予定の領域を含みながら、マーカ３−Ｎ＋２が付与される前の撮影を行う。
【００６６】
図８に第２の実施形態のタイミングチャートを示す。静止状態は第１の実施形態のマーカ地点３−Ａ−１を３−１に置き換えたものとなる。図中、最上位(１)は移動式マルチ画像撮影装置１−２の静止，移動を表す。上から、(２)はマーカ３−１の接地、(２)はマーカ３−Ｎの接地、(３)はマーカ３−Ｎ＋１の接地、(４)はマーカ３−Ｎ＋２の接地、(６)はカメラの撮影トリガ信号、(７)は撮影、(８)はマーカ画像処理、(９)はマーカ隠蔽画像処理のタイミングの関係を、夫々示している。ここで、ＮはＮ番目に付与したマーカ３を表し、タイミングとは、時間の推移を意味するものではなく、動作の前後関係や位置関係を意味するものである。また、(２)〜(５)で上下の地点を含む実線の枠は、撮影動作２２−０，２２−１，２２−２Ｎ〜２２−２（Ｎ＋１）に含まれるマーカ３−１，３−Ｎ〜３−Ｎ＋２を示し、破線は一連の撮影動作を示している。撮影２２−２Ｎでは第Ｎのマーカ３−Ｎが付与された状態で、マーカ３−Ｎ＋１が付与される予定の領域も含みながら、(６)の撮影トリガにより、マーカが付与されていない画像を(７)撮影し（２２−２Ｎ）、マーカ画像処理２４−２Ｎと、画像合成処理１５−２Ｎが行われる。さらに移動して、マーカ３−Ｎ＋１が付与された後に、撮影２２−２Ｎ＋１ではマーカ３−Ｎと３−Ｎ＋１を含んだ撮影を行う。マーカ画像処理２４−２Ｎ＋１を行い、マーカを抽出する。次に撮影２２−２（Ｎ＋１）では、マーカ３−Ｎは撮影範囲から外れて、次のマーカ３−Ｎ＋１の付与位置を含む領域をマーカ３−Ｎ＋１が付与予定地点に付与されていない状態で撮影する。マーカ画像処理２４−２（Ｎ＋１）と、画像合成処理１５−２（Ｎ＋１）が行われる。
【００６７】
図９は、第２の実施形態におけるカメラ２を移動して撮影した画像郡の処理の図である。最初の静止から移動時の撮影と処理は第１の実施形態と同様であるので、図９には処理を一般化した撮影画像２３−２Ｎから撮影画像２３−２（Ｎ＋１）の処理を表している。図９(ａ)は、２Ｎ番目に撮影した画像２３−２Ｎ、(ｂ)は画像２３−２Ｎ＋１、(ｃ)は画像２３−２（Ｎ＋１）についての処理過程を示す図である。撮影画像２３−２Ｎから、撮影画像２３−２（Ｎ＋１）の処理方法について説明する。図９(ａ)の撮影画像２３−２Ｎから、二値化により、マーカ画像２４−２Ｎを取得する。図９(ｂ)の撮影画像２３−２Ｎ−１から、二値化によりマーカ画像２４−２Ｎ＋１を得る。図９(ｃ)の撮影画像２３−２（Ｎ＋１）から、二値化によりマーカ画像２４−２（Ｎ＋１）を得て、これとその前に得ているマーカ画像２４−２Ｎ＋１の共通のマーカ３−Ｎの画素座標情報からアフィン変換係数を得て、マーカ画像合成２６−２（Ｎ＋１）の合成用補正値を得る。合成用画像２５−２（Ｎ＋１）は、先の合成用画像２５−２Ｎとの画像合成に際して、マーカ画像２４−２Ｎとマーカ画像２４−２Ｎ＋１のマーカ３−Ｎの画素座標から撮影画像２３−２Ｎと撮影画像２３−２Ｎ＋１間のアフィン変換係数を求め、マーカ画像２４−２Ｎ＋１とマーカ画像２４−２（Ｎ＋１）のマーカ３−Ｎ＋１の画素座標から画像間のアフィン変換係数を求め、これらのアフィン変換に示される画像合成用補正値を合成用画像２５−２Ｎと合成用画像２５−２（Ｎ＋１）について合成用画像２５−２（Ｎ＋１）に上書きする形で合成することにより、マーカ３−Ｎ＋１に付随し付与したものの画像が隠蔽されて、マーカ像や付与した物が含まれない合成画像２７−２（Ｎ＋１）を取得することができる。この処理を、マーカ合成２６−２Ｎまでに得た補正値と先の図９(ｃ)の処理で得た補正値を用いて、マーカ合成２７−２（Ｎ＋１）の合成に適用するようにマーカ付与順に補正処理を遡ることにより、移動式マルチ画像撮影装置１−２で撮影した一連の画像について、マーカを隠蔽した合成画像として２７−２（Ｎ＋１）として、最初撮影した画像までの合成画像を取得することができる。
【００６８】
図１０は、図７に示した移動式マルチ画像撮影装置１−２を実現する具体的な構造の概要図である。第１の実施形態の図６に示した構成との違いを主に説明する。マーカ付与のために、付着マーカ１７３は、ガラスビーズ１８０が粘着シート１８１の上に付着しており、マーカ付着機構部１７６の回転式のベルト１８６を介しマーカ収納部１８２から供給される。図中、回転式ベルトと１８６の駆動系については、ここでは省く。ここでは、ガラスビーズとしたが、受動的な点状の高い反射率を有するものとして小径の金属球のようなものでもよい。
【００６９】
マーカの付与と撮影のタイミングについては、マーカ付着機構部１７６の先端に設置された圧力センサ１８３からのマーカ付与時の接地情報と、装置の前進を行う回転角目盛り付車輪６８を使い、車輪回転状態を計測する回転角目盛りから得た回転情報を距離換算して、予めカメラの撮影範囲と撮影位置から設定していた、マーカ３付与位置とカメラの撮影位置に対応した移動距離に対応するタイミングでマーカを付与や撮影を行う。
【００７０】
所定の移動距離に対応して、マーカ付着部浮上接地モータ１７２が駆動して、マーカ付着機構部１７６が接地し、付着マーカ１７３を付着する。車輪の回転量から換算した処理の移動距離に達すると図８のタイミングチャートで(６)カメラ撮影トリガとして撮影２２−２Ｎの信号を発して、それに応じて(７)撮影する。さらに所定距離移動し、次のマーカ付与位置に達するとマーカ付着部浮上設置用モータ１７２が駆動してマーカ付着機構部１７６を接地し、付着マーカ１７３を被写体構造物４の表面に付着する。ガラスビーズ１８０の特性として来た方向に光を強く反射する特性を有するので、カメラ２の近傍に設置した光源の照明１８４の光をカメラ２方向に強く反射する。マーカ付着機構部１７６にある、付着前のマーカ１８３からの反射光が戻らないように、蓋い１８５をかぶせている。
【００７１】
図１１は、第２の実施形態のフローチャートである。
【００７２】
ステップＳ４０〜ステップＳ４５までは、図６(ａ)のステップＳ１０〜ステップＳ１５のフローにおいて、再利用型のマーカ３−Ａ−１を使い捨て型のマーカ３−１に置き換えたものである。
【００７３】
ステップＳ４６において、次のマーカを付与するかどうかを制御部８で判断する。マーカを付与する場合には、ステップＳ４７のマーカの付与へ行き、付与しない場合には、撮影の終了に行く。
【００７４】
ステップＳ４７において、制御部８から次のマーカ３の付与を指示されると、次のマーカを付与するために、タイミング制御部８２からの信号によりマーカ付着部浮上接地用モータ１７２を駆動して、マーカ付着機構部１７６を接地し、付着マーカ１７３を被写体構造物４表面に付着する。
【００７５】
ステップＳ４８において、付着マーカと装置の相対的な位置情報に基づいたタイミング制御部８２からの信号をカメラ２が受けて、前回付着したマーカ３−Ｎと今回付着したマーカ３−Ｎ＋１の二つのマーカを含む画像を撮影する。
【００７６】
ステップＳ４９において、マーカと装置の相対位置情報に基づいたタイミング制御部８２からの信号をカメラ２が受けて、マーカ３−Ｎ＋１を含む画像を撮影する。
【００７７】
ステップＳ５０において、マーカと装置の相対位置情報基づいたタイミング制御部８２からの信号をマーカ付着機構部１７６が受けてマーカ付着部浮上接地用モータ１７２がマーカ付着機構部１７６を浮上させて待機する。
【００７８】
ステップＳ５１において、次の撮影を実行するか否かを制御部８で決定して、実行する場合には、ステップＳ４７に戻り、次のマーカを付与する。“Ｎｏ”の場合には一連の撮影と画像データを終了する。
【００７９】
画像処理については、図６(ｂ)に基づくものと同様になる。
（第２の実施形態の効果）
以上説明した第２の実施形態では、次の（Ｉ）〜（Ｌ）のような効果がある。
【００８０】
（Ｉ）一連のマーカを付与する機構が１式でよいので、再利用型に比べて構造制御が簡単になる。
【００８１】
（Ｊ）マーカ自体はガラスビーズや小径の金属球など受動的で高い反射率を有するものを適用することができるので、自発光のマーカと利用するシステムに比べると、安価なシステムの提供ができる。
【００８２】
（Ｋ）移動式マルチ画像撮影による隣接画像間の合成用共通マーカ処理において、高い反射率を有する廉価なガラスビーズや小径の金属球など受動体とカメラ側からの光源照射を組み合わせにより、高輝度なマーカに発光体そのものを適用することなく簡単に得ることができる。
【００８３】
（Ｌ）車輪に付けた回転位置目盛りの読み取りと、マーカの接地センサを組み合わせた構成で、簡単に被写体に付与したマーカとカメラを搭載した装置の相対位置関係を得ることができる。
（第３の実施形態）
図１２Ａ〜図１２Ｃは、第３の実施形態に於ける移動式マルチ画像撮影装置１−３の構成の概略を示した図である。移動式マルチ画像撮影装置１−３は、チェビシェフクランク機構２７０と非可視光レーザ２８４と非可視光／可視光カメラ２０２に特徴がある。図１２Ａは上面図、図１２Ｂは側面図、図１２Ｃは正面図である。移動式マルチ画像撮影装置１−３はチェビチェフクランク機構２７０を右（Ａ）、左（Ｂ）に両者の動きが反対位相で同期を取るように組み合わせた二足歩行的な動作をする。チェビチェフクランク機構２７０−Ａ，２７０−Ｂのフレームの先端に、支柱２７６−Ａ，２７６−Ｂを接続して、その支柱上部先端に非可視光レーザ２８４−Ａ，２８４−Ｂを配置して、チェビチェフクランク機構２７０−Ａ，２７０−Ｂの動きに合わせて、タイミングを連携させながら非可視光/可視光カメラ２０２で撮影を行う。基本的な機能ブロック構成については、第１の実施形態の図２に示したブロック図に準じる。図中、車輪は姿勢を保つ補助的なもので、移動式マルチ画像撮影装置１−３の前進は、支柱２７６−Ａが接地しているときには、クランク機構の回転中心であるＯ−１，Ｏ−２を移動式マルチ画像撮影装置１−３の前進への力点として移動式マルチ画像撮影装置１−３が持ち上がり前進する。このため、支柱２７６−Ａと２７６−Ｂを２足歩行の脚とした動作になる。
【００８４】
マーカ付与のタイミングと撮影のタイミングについては、図には示していないが、移動式マルチ画像撮影装置１−３の移動に伴いＦａ−Ａの回転角度の特定な位置に位置センサ１８３−１，１８３−２を接地して、撮影のタイミングを得る。また、正確なマーカの接地を確認するために、支柱２７６−Ａや２７６−Ｂの接地部に圧力センサ１８３−Ａや１８３−Ｂを設置して、接地情報を得て、撮影のタイミング信号の発生に使うことも可能である。
【００８５】
図１３は、チェビチェフクランク機構２７０−Ａの動作を表す図である。図１３(ａ)には基本構成と、クランク機構の動きを、(ｂ)には各フレームの構成とその軌道を示す。チェビシェフクランク機構２７０は、フレームの長さの比が１：２．５：５のフレームＦａ  ２７１，フレームＦｂ  ２７２，フレームＦｃ  ２７３からなる。フレームＦａ  ２７１は点Ｏ−１を中心に回転し、そこからフレームＦａ長に対して２倍離れた点Ｏ−２を中心支点として回転するフレームＦｂがあり、フレームＦａの他端はフレームＦｃの一端に接続して、フレームＦｂの他端はフレームＦｃの中心点に接続している。このときのフレームＦａとフレームＦｃの接続点をＰａ、フレームＦｂとフレームＦｃの接続点をＰｂ、フレームＦｃの先端をＰｃとおき、フレームＦａの長さをＲ、位相角θを図１３の（ｂ）のθのようにおくとその座標の関係は、次式(４) の関係で表される。
【００８６】
【数４】
2016024516.tif 000006
【００８７】
この運動の様子を示したのが図１３(ｂ)であり、フレームＦａとフレームＦｃの接続点が円運動をする間に、フレームＦｂが扇状の往復運動をして、それらの動きが組み合わさり、フレームＦｃの他端Ｐｃはほぼ水平な移動と上方に円弧状に戻る軌道を描く。チェビシェフクランク機構２７０を左右２７０−Ａ，２７０−Ｂを対に並べて、右のフレームＦａ−Ａの回転運動に対して丁度１８０度位置が異なるように左のフレームＦａ−ＢがＦａ−Ａの共通の回転軸Ｏ−１を介して接続する。そのときに、フレームＦｃ−Ａ，Ｆｃ−Ｂの先端の軌道Ｐ−Ａ，Ｐ−Ｂは反対の位相点になり、平坦に移動する部分と、円弧状に戻る部分があたかも二足歩行の運動を空中で空回りさせたように動く。このとき、平坦な移動部分の占める割合は浮上して戻る割合よりも大きく、左右で同時に平坦な部分が重なる領域２７５−Ａ−１と２７５−Ｂ−２を生じる。この両者の関係は対象であり、同じ関係は反対の位相時に、左右が入れ替わる関係を持って生じる。
【００８８】
図１２Ａ〜図１２Ｃに示した左右セットにしたチェビシェフクランク機構２７０−Ａ，２７０−ＢのフレームＦｃ−Ａ，Ｆｃ−Ｂの先端Ｐｃ−Ａ，Ｐｃ−Ｂの動きが平坦になるときに接地するような支柱２７６−Ａ，２７６−Ｂの高さを設定して接続して、接地時には支柱が被写体構造物４に接地する形で固定されるように移動体マルチ画像撮影装置１−３を移動させる。例えば、チェビシェフクランク機構２７０のフレームＦａ−Ａ，Ｆａ−Ｂの回転軸Ｏ−１に回転駆動系（図示せず）を接続してフレームＦａ−Ａ，Ｆａ−Ｂを回転させて、移動式マルチ画像撮影装置１−３が支柱２７６−Ａ，２７６−Ｂの交互の接地時にその接地を支点して、回転中心のＯ−１とＯ−２を本体への力点として本体を浮上させて前に動かすことで実現できる。以上のようにして、支柱２７６−Ａ，２７６−Ｂの先端に非可視光レーザ２８４−Ａ，２８４-Ｂを取り付けて、非可視光レーザ２８４−Ａ，２８４−Ｂから被写体構造物４上に非可視光レーザ光を照射してその反射により得られる高輝度なマーカを再利用可能なマーカとして、第１の実施形態における左右のマーカ３−Ａ，３−Ｂの付与に変わり用いるものである。
【００８９】
図１４に第３の実施形態のタイミングチャートを示す。図中、最上位(１)は移動式マルチ画像撮影装置１−３の動きを表し、上から、(２)は非可視光レーザマーカＡ２７３−Ａの点灯、(３)は非可視光レーザマーカＢ２７３−Ｂの点灯、(４)は支柱２７６−Ａの浮上と移動、(５)は支柱２７６−Ｂの浮上と移動、(６)は支柱Ａの第１地点への接地２７７−Ａ-１での接地、(７)は支柱Ｂの第２地点への接地２７７−Ｂ−１、(８)は支柱Ａの第３地点への接地２７７−Ａ−２、(９)は支柱Ａの接地・浮上信号、(１０)は支柱Ｂの接地・浮上信号、(１１)はカメラ撮影トリガ信号、(１２)は撮影、(１３)は非可視光マーカ処理、(１４)は可視光画像合成処理のタイミングの関係を、夫々示している。ここでのタイミングとは、時間の推移を意味するものではなく、動作の前後関係や位置関係を意味するものであり、例えば最上位(１)の装置の移動のシーケンスは必ずしも連続的な移動である必然性はなく、任意に断続的な移動でもよい。また、(６)〜(１２)で上下の地点を含む実線の枠は、撮影動作３２−０〜３２−２に含まれる支柱の接地状態の関係を示し、破線は各地点間の移動を表している。(２)，(３)に見るマーカＡ，マーカＢの点灯／消灯は、(９)，(１０)の支柱Ａ，支柱Ｂの接地・浮上信号に同期しており、接地しているときに点灯するものである。初期の静止状態では(６)支柱Ａが接地２７７−Ａ−１して非可視光レーザマーカが被写体構造物４の表面上の第１地点２０３−Ａ−１に非可視光レーザ２８４−Ａからレーザ光照射してマーカを形成している状態で撮影３２−０を行い、(１３)の非可視光マーカ画像を非可視光／可視光カメラの画像情報の中から、非可視光分を使って処理して画素情報３４−０を得る。さらに、(１４)の可視光画像情報から画像合成に利用する合成用可視光画像情報３５−０を得る。
【００９０】
次に、移動式マルチ画像撮影装置１−３が始動し、(７)の支柱Ｂが第２の接地地点２７７−Ｂ−１に接地すると、(１０)の支柱Ｂの接地・浮上信号を受けて、(３)でレーザＢを点灯して被写体構造物４の表面の第２の地点にレーザ光を照射してマーカを形成している状態２０３−Ｂ−１で撮影３２−１を行い、(３)非可視光レーザマーカ２０３−Ａ−１と２０３−Ｂ−１が含まれる状態撮影する。(１３)の非可視光マーカ画像を非可視光／可視光カメラの画像情報の中から、非可視光分を使って処理して画素情報３４−１を得る、(１４)の合成用可視光画像情報３５−１を得て必要に応じてマーカ座標からの合成用補正値の導出と画像合成処理を行う。その後、(６)の第１の地点から支柱２７６−Ａが浮上すると(９)で浮上信号を受けて、(２)でレーザＡ２８４−Ａを消灯する。
【００９１】
さらに、移動式マルチ画像撮影装置１−３が動き(８)の支柱Ａが第３の接地地点２７7−Ａ−２に接地すると、(１０)の支柱Ａの接地・浮上信号を受けて、(２)でレーザＡを点灯して被写体構造物４の表面の第３の地点にレーザ光を照射してマーカを形成している状態２０３−Ａ−２で撮影３２−２を行い、(３)非可視光レーザマーカ２０３−Ｂ−１と２０３−Ａ−２が含まれる状態撮影する。(１３)の非可視光マーカ画像を非可視光/可視光カメラの画像情報の中から、非可視光分を使って処理して画素情報３４−２を得る、(１４)の合成用可視光画像情報３５−２を得て必要に応じて補正値の導出や画像合成処理を行う。
【００９２】
図１５は、第３の実施形態における撮影で取得したマルチ画像の処理の図である。図１５(ａ)は、最初の撮影画像３３−０を示す図である。画像３３−０は移動式マルチ画像撮影装置１−３の静止状態において、マーカ２０３−Ａ−１を付与させて非可視光／可視光カメラ２０２によって撮影した画像である。この画像から、非可視光信号を抽出して二値化したマーカ画像３４−０と可視光を抽出した合成用画像３５−０を得る。図１５(ｂ)は、移動式マルチ画像撮影装置１−１が移動開始して、非可視光レーザマーカ２０３−Ａ−１と２０３−Ｂ−１が付与された状態で最初に撮影した画像３３−１と、非可視光画像から二値化処理したマーカ画像３４−1と、可視光合成用画像３５−１を示す。
【００９３】
ここで、撮影画像３３−０の画素座標系を（ａｘ，ａｙ）として、撮影画像３３−１の画素座標系を（ｂｘ，ｂｙ）とする。マーカ画像３４−０とマーカ画像３４−１の共通のマーカ２０３−Ａ−１の画素座標の比較からアフィン変換係数［Ａ１］を得ることにより、両者の画像の共通座標化、すなわち、次式(５)の合成用の補正値パラメータ［Ａ１］得る。
【００９４】
【数５】
2016024516.tif 000007
【００９５】
この補正値を合成用画像３５−０と３５−１に適用することで可視光合成用画像３７−１を得る。この第３の実施形態では、非可視光のマーカを使うため、可視光画像合成で第１の実施形態や第２の実施形態で行ったような隠蔽の手順は不要である。図１５(ｃ)は、さらに移動式マルチ画像撮影装置１−３が移動して、新たな付与マーカ２０３−Ｂ−１を被写体構造物４の表面に付与し、既に付与されているマーカ２０３−Ａ−１を含むように撮影した撮影画像３３−２である。この画像３３−２から、(ｂ)における撮影画像３３−１と同様の処理を行うことで、非可視光マーカ画像３４−２と可視光合成用画像３５−２を取得して、これらから、マーカ２０３−Ａ−２を基準にしてもとまる補正値を、可視光合成画像３５−２に適用して、次式(６)の補正値パラメータ［Ａ２］を得る。
【００９６】
【数６】
2016024516.tif 000008
【００９７】
この補正値を前の補正値を用いることで、全体の画像合成３７−２を次式(7)で得ることができる。
【００９８】
【数７】
2016024516.tif 000009
【００９９】
図１６(ａ)，(ｂ)は、第３の実施形態の撮影，画像処理のフローチャートである。
【０１００】
図１６(ａ)は、第３の実施形態の撮影の全体を示すフローチャートである。
【０１０１】
ステップＳ６０〜ステップＳ６５までは、図６(ａ)のステップＳ１０〜ステップＳ１５のフローにおいて、再利用型のマーカ３−Ａ−１をレーザ照射のマーカ２０３−Ａ−１に置き換えたものである。
【０１０２】
ステップＳ６６において、チェビシェフクランク機構のフレームＦａの回転に伴い、支柱２７６−Ｂ（または、支柱２７６−Ａ）が接地して非可視光レーザ２８４−Ｂ（または、２８４−Ａ）を発光させることにより、非可視光マーカ２０３−Ｂ−１（または、２０３−Ａ−１）が被写体上に形成される。
【０１０３】
ステップＳ６７において、チェビシェフクランク機能のフレームＦａの角度θを第２の実施形態の目盛りつき車輪６８のようにして、読み取ることにより、フレームＦｃ−ＡとフレームＦｃ−ＢのＰｃ−ＡとＰｃ−Ｂの関係から、同時に支柱２７６−Ａと２７６−Ｂが接地している状態が特定できるので、この情報をマーカ・本体相対位置検出部７２に通知することにより、タイミング制御部８２を介して、カメラ２０２に撮影指示が発せられて、二つのマーカを含む画像を撮影する。
【０１０４】
ステップＳ６８において、次の撮影を実行するか否かを制御部８で決定して、実行する場合には、ステップＳ６６に戻り、次のマーカを付与する。“Ｎｏ”の場合には一連の撮影と画像データを終了する。
【０１０５】
図１６(ｂ)は第３の実施形態の画像処理のフローチャートである。
【０１０６】
図１６(ｂ)は図２のブロック図において、画像処理部９における、また、図１４のタイミングチャートに示した(１３)マーカ画像処理、(１４)の画像合成処理における、あるいは、図１５の画像処理のフローを示した図である。
【０１０７】
画像処理部９の画像取込・保持部９０が撮影画像を取込むタイミングで画像処理が開始する。
【０１０８】
ステップＳ７０において、その画像情報がマーカ像抽出画像間補正値導出９１に送られる。
【０１０９】
ステップＳ７１において、図１４あるいは図１５における非可視光マーカ画像３４が、輝度に一定の閾値をつけた二値化処理により得られる。
【０１１０】
ステップＳ７２において、二値化により得られた、今回のマーカ画像と前回のマーカ画像から二値化により得られた画像、例えば、図１５のマーカ画像３４−１と３４−２のような隣接したマーカ画像から、両者の画像で共通のマーカ、例えば、マーカ２０３−Ｂ−１の少なくとも２つからなるマーカ像の画素座標を比較することにより、アフィン変換係数を求めて、これを補正値として導出する。
【０１１１】
ステップＳ７３において、今回の合成用画像と前回の合成用画像、上記例にそくする合成用画像３５−１と３５−２、の画像合わせに適用して、合成画像３７−２を得る。
【０１１２】
尚、初期の合成画像は、マーカ画像１４−０と１４−１から得た、少なくとも２つ以上から構成されるマーカ３−Ａ−１についてのアフィン変換係数を合成用画像１５−０と１５−１に補正値として適用して、合成画像１７−１を求める。
【０１１３】
以上の一連の画像処理を実行することで、終了する。
（第３の実施形態の効果）
以上説明した第３の実施形態では、次の（Ｍ）〜（Ｑ）のような効果がある。
【０１１４】
（Ｍ）第１，第２の実施形態では車輪移動に伴う位置検出機構が別途必要になったが、チェビシェフクランク機構のような２足歩行構成では、接地固定点を基準に装置が移動するため、機構の特定の状態、例えば回転するフレームの角度位置を読み取り値、に撮影タイミングを連動すればよく、タイミング制御が簡単になる。
【０１１５】
（Ｎ）チェビシェフクランク機構を適用することにより、左右の接地点が機構の動きに組み込まれているためにマーカ付与機構部スライドのような重力の影響を受ることがないので再生利用可能なマーカを追加機構を付与することなく提供できるので、装置の向きが水平面上だけでなく、垂直な壁の表面などの移動撮影が同じ構造でそのまま可能となる。
【０１１６】
（Ｏ）チェビシェフクランク機構を適用することにより、受動的なマーカ付与機構で、左右のマーカ付与においてオーバーラップ領域を有するために、２地点のマーカの同時撮影が提供されるので、制御が簡単になる。
【０１１７】
（Ｐ）移動式マルチ画像撮影での画像合成においても非可視光/可視光カメラと非可視光マーカの組み合わせを適用することで、非可視光レーザマーカにより、被写体撮影範囲にマーカ付与のための機構を入れることなく遠隔でマーカを付与することができるため、同時に２つのマーカ地点のマーカを撮影するだけで画像合わせ用の補正値を取得して画像が合成でき、可視光のみのマーカに比べて、マーカの隠蔽手順が不要で単純な処理となり、処理を軽減できると共に撮影回数が減らせる。
【０１１８】
（Ｑ）被写体から離れた位置からレーザ照射による被写体表面へのマーカ付与では、物理的なマーカ付与と異なり、直接被写体表面自身にマーカが付与できるために、移動に伴いマーカに対するカメラ撮影角度が変わっても被写体表面での視差角が生じないなので、完全に固定された共通マーカ座標を得ることができる。
（第４の実施形態）
第４の実施形態では、撮影に際して、被写体４２に一切接触をすることなく、マルチ画像を撮影して合成する形態について示す。
【０１１９】
図１７Ａ〜図１７Ｃは、第４の実施形態に於ける移動式マルチ画像撮影装置１−４の構成を示した図である。移動式マルチ画像装置１−４は基本的には、移動式の並列カメラ撮影部３２１とカメラ部分離した二つの移動式マルチ画像マーカ用レーザ機構部３３０−Ａ，３３０−Ｂからなる。並列カメラ撮影部３２１は複数の非可視光／可視光カメラ３２０−１〜３２０−３を所定間隔で並列マルチカメラ支柱・フレーム３２４上に固定されている。そのカメラ３２０−１〜３２０−３の撮影範囲３５０−１〜３５０−３で隣接する撮影範囲で重なる領域に、撮影画像３５０−１と３５０−２では少なくとも２つ（ここでは２つ）の並列撮影用マーカパタン３２３−１２−１，３２３−１２−２、撮影画像３５０−２，３５０−３では並列用マーカパタン３２３−２３−１，３２３−２３−２を付与するために、並列撮影マーカ用レーザ３２２−１２−１，３２２−１２−２をカメラ３２０−１と３２０−２の間に、また、並列撮影マーカ用レーザ３２２−２３−1，３２２−２３−２をカメラ３２０−２と３２０−３の間に配置する。並列マルチカメラ支持・フレーム３２４は、被写体４２の両脇に設定されたレール３６０-Ｂと３６０−Ｃに移動のための設定された並列マルチカメラ移動部３２６−Ｂと３２６−Ｃに跨るように配置された並列マルチカメラ支持アーム３２５上に接地され、被写体４２に接触することなく、移動しながら撮影できる構造となっている。他方、マーカ付与に関しては、カメラ３２０−１の撮影範囲３５０−１に、移動しながら撮影しても、移動前後での撮影画像の合成ができるように画像合わせの基準となるマーカパタン３０３−Ａ−１，３０３−Ａ−２と、マーカパタン３０３−Ｂ−１，３０３−Ｂ−２を同時に撮影範囲３５０−１に入れながら交互に前後関係が変わる形で被写体４２上に構成する。このために、並列マルチカメラ機構部３２１を支えるレール３６０−Ｂとさらに並行するようにレール３６０−Ａを配置して、３６０−Ａ上を移動する移動マルチ画像レーザマーカ移動３３６−Ａがあり、その中にレーザマーカを照射するための、移動マルチ画像レーザマーカ機構部３３０−Ａがあり、これは、移動式マルチ画像マーカレーザ３３１−Ａ−１，３３−Ａ−２とそれを支える移動マルチ画像マーカレーザ用支柱３２２−Ａからなる。同様に、並列マルチカメラ機構部３２１を支えるレール３６０−Ｂ上には、３６０−Ｂ上を移動する移動マルチ画像レーザマーカ移動３３６−Ｂがあり、その中にレーザマーカを照射するための移動マルチ画像レーザマーカ機構部３３０−Ｂがあり、これは、移動式マルチ画像マーカレーザ３３１−Ｂ−１，３３−Ｂ−２とそれを支える移動マルチ画像マーカレーザ用支柱３２２−Ｂからなる。これらの構成要素は分離構成制御部３８０に信号線が接続ざれて制御を行う。図中、カメラ３２０−１は並列マルチカメラ支持・フレーム３２４に固定されている形態を示しているが、第１の実施形態で適用したチルト角制御部８４を適用して、撮影範囲を制御してもよい。
【０１２０】
図１８は、移動式マルチ画像撮影装置１−４の機能ブロック図である。
【０１２１】
大きくは二つの移動マルチ画像レーザマーカ機構部３３０−Ａ，３３０−Ｂと分離構成制御部３８０と並列マルチカメラ機構部３２１からなる。 
分離構成制御部３８０はシーケンス制御部 ３８３とマーカ／撮影タイミング制御部３８２と移動タイミング制御部 ３８１からなり、移動マルチ画像レーザマーカ機構部３３０−Ａ，３３０−Ｂと並列マルチカメラ機構部３２１から情報を得て、指示を与える。シーケンス制御部３８３からタイミング制御部３８２に始動関連の指示Ｉ３０１が例えばマーカＡの機構３３０−Ａの移動マルチ画像レーザマーカ移動部３３５−Ａに送られ、移動マルチ画像レーザマーカ機構位置検知器部３３４−Ａ、例えば、レール３６０−Ａに刻まれた距離マーカを読み取るなど、の位置情報Ｉ３０２を確認しながら、所定位置に移動して静止した後に、マーカ３２０−Ａ−１，３２０−Ａ−２を所定の位置に照射する指示Ｉ３０３が出される。このときに、マーカ３２０−Ａ−１，３２０−Ａ−２を移したカメラ３２０−１の画像情報からマーカ像を検出して、例えば、図２０に示されるようなマーカと撮影位置の適正な関係が得られるように、移動マルチ画像レーザマーカ移動部３３５−Ａあるいは３３５−Ｂに帰還制御をかけて移動方向の位置の微調整を行う。次に、タイミング制御部３８２から他方のマーカ、例えばマーカＢの機構３３０−Ｂの移動マルチ画像レーザマーカ移動部３３５−Ｂに移動指示Ｉ３０４が送られ、移動マルチ画像レーザマーカ機構位置検知器部３３４−Ｂの位置情報Ｉ３０５を確認しながら、所定位置に移動して静止した後に、タイミング制御部３８２からマーカ３２０−Ａ-１，３２０−Ａ−２を所定に位置に照射する指示Ｉ３０６が出される。移動マルチ画像レーザマーカ機構部３３０-Ａ，３３０−Ｂの設定が終了すると、次に、シーケンス制御部３８３からタイミング制御部３８２に並列マルチカメラ機構部３２１に、並列撮影マーカ用レーザ３２２の発光指示Ｉ３２１が出される。これに従い、並列撮影マーカ用レーザは所定位置に並列撮影用マーカ３２３を形成する。 その後、タイミング制御部３８２から並列に配置された非可視光/可視光カメラ３２０−１〜３２０−３に撮影指示Ｉ３２２が発せられる。一連の撮影が終了すると、移動マルチ画像マーカ３３３−Ｂ−１，３３３−Ｂ−１が撮影範囲３５０−１に残る範囲で移動する指示Ｉ３２３が、シーケンス制御部３８３に従うタイミング制御部３８２から並列マルチカメラ移動部３２６に指示される。これらの情報のやり取りを各機能ブロックが行う。
【０１２２】
図１９に第４の実施形態のタイミングチャートを示す。図中、最上位(１)は並列マルチカメラ機構部３２１の動きを表し、上から、(２)は支柱（Ａ）レール上第１地点停止移動マルチ画像用マーカ付与３３３−Ａ−１，３３３−Ａ−２、(３)は支柱（Ｂ）レール上第１地点停止移動マルチ画像用マーカ付与３３３−Ｂ−１，３３３−Ｂ−２、(４)は支柱（Ａ）レール上第２地点停止移動マルチ画像用マーカ付与３３３−Ａ−１，３３３−Ａ−２、(５)は支柱（Ｂ）レール上第２地点停止移動マルチ画像用マーカ付与３３３−Ｂ−１，３３３−Ｂ−２、(６)はカメラ撮影トリガ信号、(７)は並列マルチカメラ（３２０−１〜３２０−３）撮影、(８)は非可視光マーカ処理、(９)は可視光画像合成処理のタイミングの関係を、夫々示している。ここでのタイミングとは、他の実施形態と同様に時間の推移を意味するものではなく、動作の前後関係や位置関係を意味するものである。また、(２)〜(７)で上下の地点を含む実線の枠は、撮影動作３２−０〜３２−２に含まれる支柱の接地状態の関係を示し、破線は各地点間の移動を表している。
【０１２３】
最初に(１)のカメラ部が静止いる間に最初位置に(２)の移動マルチ画像レーザマーカ機構部３３０−Ａを所定位置に移動停止して、マーカＡとして第１の地点に非可視光レーザマーカパタン３０３−Ａ−１，３０３−Ａ−２を付与する。最初の撮影４２−０を行い、非可視光マーカ画像４４−０と可視光画像４５−０を得る。次に、(３)としての移動マルチ画像レーザマーカ機構部３３０−Ｂを所定位置移動停止して、マーカＢとして第１の非可視光レーザマーカパタン３０３−Ｂ−１，３０３０−Ｂ−２を付与する。最初の撮影４２−１を行い、非可視光マーカ画像４４−１と可視光画像４５−１を得る。(４)，(５)では(２)，(３)の撮影４２−１や４２−２で行ったことを同じシーケンスを繰り返し、必要な画像郡を取得し、(８)，(９)の非可視光マーカ処理によりマーカ画像郡から移動方向ならび、並列方向の画像合成用の補正値を導出し、(９)可視光画像合成処理で、可視光画像郡を合成する。
【０１２４】
図２０には、第４の実施形態での移動マルチ画像撮影用の非可視光／可視光カメラ３２０−１の一連の撮影範囲３５０−１と、移動マルチ画像用マーカ３３３−Ａ−１，３３３−Ａ−２ならびに３３３−Ｂ−１，３３３−Ｂ−２の配置の関係を示す。 図中、(ａ)は撮影のタイミング１、(ｂ)は次の撮影タイミング、(ｃ)はさらにその次の撮影タイミングでのマーカ配置と撮影範囲の関係である。最初は移動マルチ画像用マーカ３３３−Ａ−１，３３３−Ａ−２と３３３−Ａ−１，３３３−Ａ−２とが撮影範囲３５０−１の前後半に配置され、第１の撮影が行われる。次に、後方のマーカ３３３−Ａ−１，３３３−Ａ−２を既に付与されているマーカ３３３−Ｂ−１，３３３−Ｂ−２よりも撮影範囲３５０−１の前方に位置するように移動マルチ画像レーザマーカ機構部３３０−Ａを移動させて停止し、マーカＡの第２の地点として３３３−Ａ−１−２，３３３−Ａ−２−２を付与する。以下これを繰り返す。このとき、撮影範囲３５０−１は被写体４２との距離と画角から求まるので、その値を例えばレール３６０−Ａに付与した目盛りと照合することで所定の付与位置を規定することができる。例えば、２Ｋのカメラでコンクリート表面の０．２ｍｍのひび割れを最小解像度として撮影するときの撮影範囲は２１ｃｍ×３８ｃｍとなる。移動方向を２１ｃｍの方向とすると、マーカ付与の間隔は１０．５ｃｍで、カメラが１０．５ｃｍ移動する毎に、ほぼマーカ位置が前方半分の撮影領域と後方半分の中央近辺に配置されることを確認しながら撮影することになる。
【０１２５】
図２１は、並列マルチカメラ画像と移動マルチ画像を撮影した画像郡を合成する様子を示したものである。図中、(ａ)はカメラ ３２０−１の撮影画像郡、(ｂ)はカメラ３２０−２の撮影画像郡、(ｃ)はカメラ３２０−３の撮影画像郡である。それぞれ、撮影タイミングで同期させて撮影した画像を縦一列に並べ、横軸には撮影タイミング順に画像を並べている。ここでは、非可視光画像を二値化したマーカ画像郡を示しているが、これらのマーカ画像郡から一連の補正値を各隣接する可視光画像に適用することで、全体の合成画像を得ることができる。図２１中、縦方向は上から並列に並んだマルチカメラ３２０−１，３２０−２，３２０−３の画像郡で隣接する画像間では共通の並列マルチカメラ画像マーカ、例えば、３２３−２３−１が写っている。横方向は移動方向に移動しながら撮影した画像郡で、カメラ３２０−１の撮影画像で隣接する画像間では共通の移動マルチ画像マーカ像、例えば、３３３−Ｂ−１，３３３−Ｂ−２などが写っている。これらの隣接した画像の共通マーカの画素座標からアフィン変換係数を求めることで、任意の画像間の合成用、補正パラメータ得られ、第３の実施形態の図１５と同様に、これを可視光画像に適用することで広い面積でも画素レベルで合成されるマーカ像のない合成画像を得ることができる。
【０１２６】
図２２の(ａ)，(ｂ)は、第４の実施形態の撮影と画像処理のフローチャートである。図２２(ａ)は撮影のフローチャートである。
【０１２７】
始動後、ステップＳ８０において、最初に撮影・画像処理の初期化を行う。
【０１２８】
ステップＳ８１において、全ての非可視光マーカ用レーザをオンして、マーカが付与できるようにする。
【０１２９】
ステップＳ８２において、並列に複数のカメラを搭載した並列マルチカメラ機構部３２１を所定の位置に移動する。
【０１３０】
ステップＳ８３において、移動マルチ画像撮影レーザマーカ機構部３３０−Ａまたは３３０−Ｂを所定に位置に移動して、所定の位置に移動マルチ画像用マーカ３３３−Ａ−１，３３３−Ａ−２，３３３−Ｂ−１，３３３−Ｂ−２を照射して並列マルチカメラ機構３２１のカメラ３２０−１〜３２０−３で非可視光／可視光画像を撮影する。 
ステップＳ８４において、次の撮影を実行するか否かを制御部３８０で決定して、実行する場合には、ステップＳ８２に戻り、次のマーカを付与する。“Ｎｏ”の場合には一連の撮影と画像データを終了する。
【０１３１】
図２２(ｂ)は画像処理のフローチャートである。
図２２(ｂ)は基本的には図２のブロック図において、画像処理部９における、また、図１９のタイミングチャートに示した(８)非可視光マーカ画像処理、(９)の可視光画像合成処理における画像処理のフローを示した図である。但し、今回の画像情報は移動マルチ画像の一つに変わって、並列マルチカメラ画像を使うことになる。
【０１３２】
画像処理部９の画像取込・保持部９０が撮影画像を取込むタイミングで画像処理が開始する。
【０１３３】
ステップＳ９０において、その画像情報がマーカ像抽出画像間補正値導出９１に送られる。
【０１３４】
ステップＳ９１において、図１９における非可視光マーカ画像４４が、輝度に一定の閾値をつけた二値化処理により得られる。
【０１３５】
ステップ９２において、二値化により得られた今回のマーカ画像と前回のマーカ画像から二値化により得られた画像で隣接したマーカ画像から、両者の画像で共通のマーカの座標からアフィン変換係数を求めて、これを補正値として導出する。
【０１３６】
ステップ９３において、今回の合成用画像と前回の合成用画像に補正値を適用して、最終的には図２１に示したような全体補正値を用いて全体可視光合成画像を合成する。
【０１３７】
以上の一連の画像処理を実行することで、終了する。
【０１３８】
本実施形態においては、並列マルチカメラ撮影と移動マルチ画像撮影を同時に使う場合について示したが、並列マルチカメラ撮影でなく、一つのカメラからなる場合でも可能である。本実施形態では、被写体の周囲にレールを配置してその上をカメラ機構やマーカ付与機構を動かす構成としたが、レールでなく、カメラ機構，マーカ機構を走らせる走行面であってもよいし、機械的な機構に連結されていても基本的な機能な実現される。
【０１３９】
本実施の形態では、非可視光／可視光カメラを用いて、非可視光マーカを用いるケースについて言及したが、可視光のレーザを用いてマーカを用いて第１の実施形態のようなマーカ付与と撮影のタイミングと処理方法を適用することで、同様な移動マルチ画像の合成画像を得ることができる。
（第４の実施形態の効果）
以上説明した第４の実施形態では、次の（Ｒ）〜（Ｖ）のような効果がある。
【０１４０】
（Ｒ）撮影カメラ部分と移動マルチ撮影用マーカを被写体から浮かせた状態で被写体に接することなく、マーカを付与して、撮影することで、被写体を汚したり、傷を付けたりすることなく、大面積に亘り詳細な画像を得ることができると共に、マーカ付与機能部自身も損傷することなく、安定して利用できる。
【０１４１】
（Ｓ）撮影カメラ部分と移動マルチ撮影用マーカ付与機構を別体とすることで、一体型に付きまとうカメラ移動により生じる被写体上への特定地点へのマーカ付与への動きの干渉が排除できるので、安定したマーカ付与が可能となる。
【０１４２】
（Ｔ）撮影カメラ部分と移動マルチ撮影用マーカ付与機構を別体とすることで、一体型に比べてカメラ撮影部分を大掛かりにできるので、より大きな被写体の撮影が可能となる。
【０１４３】
（Ｕ）移動マルチ撮影用マーカによる移動方向の撮影画像合成と並列マルチカメラによる画像合成を組み合わせることで、高分解能な画像を広範囲にわたりに得ることができる。
【０１４４】
（Ｖ）撮影範囲とマーカ付与位置の位置関係について、マーカ像の撮影画像の情報から所望な位置のずれのマーカ付与位置での調整による補正を行うことで、より微細な位置関係を得ることができる。
（第５の実施形態）
図２３Ａ〜図２３Ｃは、第５の実施形態に於ける移動式マルチ画像撮影装置の概略を示す図である。図２３Ａは上面図、図２３Ｂは側面図、図２３Ｃは正面図である。第５の実施形態では、第１の実施形態の移動式マルチ画像撮影装置１−１に準じる本体およびマーカ付与部４０１に第４の実施形態の移動式マルチ画像撮影装置１−４に準じる並列マルチカメラ撮影機構部４２１を組み合わせて、３台の並列に並べたカメラによる撮影範囲を広げた状態で、移動撮影した画像を合成するための移動式マルチ画像撮影装置１−５である。３台のカメラ４２０−１，４２０−２，４２０−３は非可視光／可視光カメラを用いている。並列マルチカメラ機構部４２１には、第４の実施形態の図１７の構成と同じように、並列撮影マーカレーザ４２２−１２，４２２−２３がカメラの間に配置され、隣接する撮影範囲の共通領域夫々に、並列撮影用マーカ４２３−１２，４２３−２３として照射される。マーカ用レーザは少なくとも２つ以上がセットとなり、アフィン変換に必要な最低限必要な２つの共通マーカ像を確保する。第１の実施形態の本体およびマーカ付与部４０１と並列マルチカメラ機構部４２１は並列マルチカメラ支柱・フレーム４２４で結合されて、第１に実形態および、第４に実施形態における両者の種々の制御を制御部８で行い、図２４に示すような画像郡を撮影する。
【０１４５】
図２４は第５の実施形態に於けるマルチ画像郡構成構図である。図２４は第４の実施形態の図２１と同様に、図中(ａ)はカメラ ４２０−１の撮影画像郡、(ｂ)はカメラ４２０−２の撮影画像郡、(ｃ)はカメラ４２０−３の撮影画像郡で、それぞれの撮影タイミングで同期させて撮影した画像を縦一列に並べ、横軸には撮影タイミング順に画像を並べている。第４の実施形態では、非可視光レーザ光を遠隔で照射したが、第１の実施形態では、マーカを被写体構造物４の表面に接地するために、周辺の機構部が撮影範囲に入るために、第１の実施形態の画像撮影と画像の処理をカメラ４２０−２について行うことになる。これらの隣接した画像の共通マーカの画素座標からアフィン変換係数を求めることで、任意の画像間の合成用、補正パラメータ得られ、これを可視光画像に適用することで広い面積でも画素レベルで合成されるマーカ像のない合成画像を得ることができる。
（第５の実施形態の効果）
以上説明した第５の実施形態では、次の（Ｗ）のような効果がある。
【０１４６】
（Ｗ）移動マルチ撮影用マーカによる移動方向の撮影画像合成と、並列マルチカメラによる画像合成を組み合わせ撮影において、両機能を一体型とした装置とすることで全体的構成コンパクトになり、屋外の現場ように頻繁に持ち運び易く、容易に活用できる。
（変形例）
本発明は上記した実施形態に限定されるものではなく、様々な変形例が含まれる。例えば上記した実施形態は、本発明を分かりやすく説明するために詳細に説明したものであり、必ずしも説明した全ての構成を備えるものに限定されるものではない。ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることも可能である。
【０１４７】
各実施形態に於いて、制御線や情報線は、説明上必要と考えられるものを示しており、製品上必ずしも全ての制御線や情報線を示しているとは限らない。実際には、殆ど全ての構成が相互に接続されていると考えてもよい。
【０１４８】
本発明の変形例として、例えば、次の（ａ）〜（ｆ）のようなものがある。
【０１４９】
（ａ）第３，第４の実施形態において、非可視光／可視光カメラと非可視光レーザによるマーカ付与について記述したが、非可視光と可視光の組み合わせについては、特定波長域の画像の合成画像の取得に当たり、任意のフィルタなどにより識別できる特定波長外の波長域と特定波長域の光の組み合わせであってもよい。
【０１５０】
（ｂ）ここでは、移動しながらマルチ画像を撮影から合成処理まで一連する行程を分り易く示すために、一つの装置の中で行う形態を示したが、移動装置ではマーカの付与と画像撮影までを行い、得た画像郡や関連した情報を通信手段により、別の処理設備に送り、一連の画像処理を行うことで移動装置の機能を軽量化する形態であってもよい。
【０１５１】
（ｃ）第２と第３の実施形態では、カメラ１台を移動させながらマルチ画像を撮影し、処理する形態について記述したが、第４や第５の実施形態のようにカメラを並列に並べてマルチカメラで同期を取りながら撮影する形態であってもよい。
【０１５２】
（ｄ）第４の実施形態でのみ、カメラ部分とマーカ付与部分を分離した構成としたが、第１〜第３の実施形態においても、カメラ部分とマーカ部分の移動を分離して、マーカ接地情報と移動距離情報や、画像内のマーカ像からの位置調整などを利用して相対的な位置関係を制御しながら、マルチ画像を取得する形態であってもよい。
【０１５３】
（ｆ）第１，第４および第５の実施形態では移動撮影用のマーカを左右に並べる配置での構成を示したが、例えばスライダーやレールを上下に並べて、異なる長さのアームが上下ですれ違うように配置したり、支柱の配置を上下にして同様にすれ違う配置にしたりすることで交互に付与するマーカが内側と外側に並べられる形態であってもよい。
【符号の説明】
【０１５４】
１−１…第１の実施形態の移動式マルチ画像撮影装置、１−２…第２の実施形態の移動式マルチ画像撮影装置、１−３…第３の実施形態の移動式マルチ画像撮影装置、１−４…第４の実施形態の移動式マルチ画像撮影装置、１−５…第５の実施形態の移動式マルチ画像撮影装置、２，２−１，２−２，２−３…カメラ、３，３−Ａ−１，３−Ａ−２，３−Ｂ−１，３−Ａ−Ｍ，３−Ｂ−Ｍ，３−１，３−２，３−Ｎ，３−Ｎ＋１，３−Ｎ＋２…マーカ、４…被写体構造物、４１…亀裂、４２…被写体 、５−Ａ，５−Ｂ…マーカ支持部、６…車輪駆動部、６１…車輪、６３…本体、６４…外部接続ケーブル、６６…カメラ機構部、６７…チルト角駆動部、６８…回転角目盛り付車輪、７…マーカ付与部、７１−Ａ，７１−Ｂ…マーカ接地動作部、７２…マーカ・本体相対位置検出部、７５−Ａ，７５−Ｂ…マーカ浮上接地用モータ、７６−Ａ，７６−Ｂ…マーカ浮上接地機構部、７７−Ａ，７７−Ｂ…水平移動用スライダー、７８−Ａ，７８−Ｂ…水平移動モータ、７９−Ａ，７９−Ｂ…水平駆動連結ケーブル 、８…制御部、８１…動作制御部、８２…タイミング制御部、８３−Ａ−１、８３−Ａ−２、８３−Ａ−３，８３−１，８３−２，８３−３…位置センサ、８４…チルト角制御部、９…画像処理部、９０…画像取込・保持部、９１…マーカ像抽出画像間補正値導出、９２…マーカ隠蔽画像合成処理部、９３…合成画像情報蓄積・出力部、９４…マーカ・撮影範囲相関位置検出 、１０−１，１０−２，１０−４Ｍ−３，１０−４Ｍ−２，１０−２Ｎ，１０−２Ｎ＋１…撮影領域、１１…外部表示／処理、１２−０−Ａ，１２−０−Ｂ，１２−１〜１２−５…実施形態１での撮影動作、１３−０−Ａ，１３−０−Ｂ，１３−１〜１３−６…実施形態１での撮影画像、１４−０〜１４−５…実施形態１でのマーカ画像、１５−０,１５−１，１５−３，１５−５…実施形態１での合成用画像、１６−２，１６−４，１６−６…実施形態１でのマーカ合成、１７−２，１７−４，１７−６…実施形態１での画像合成、２２−０，２２-１，２２−２Ｎ〜２２−２（Ｎ＋２）…実施形態２での撮影動作、２３−２Ｎ，２３−２Ｎ＋１…実施形態２での撮影画像、２４−１，２４−２Ｎ，２４−２Ｎ＋１〜２４−２（Ｎ＋２）…実施形態２でのマーカ画像、２５-０,２５−２Ｎ，２５−２（Ｎ＋１），２５−２（Ｎ＋２）…実施形態２での合成用画像、２６−２Ｎ，２６−２（Ｎ＋１）…実施形態２でのマーカ合成、２７−２Ｎ，２７−２（Ｎ＋１）…実施形態２での画像合成、３２−０，３２-１，３２−２…実施形態３での撮影動作、３３−０，３３−１，３３−２…実施形態３での撮影範囲、３４−０，３４−１，３４−２…実施形態３での非可視光マーカ画像、３５−０,  ３５−１，３５−２…実施形態３での合成用可視光画像、３６−１，３６−２…実施形態３でのマーカ合成、３７−１，３７−２…実施形態３での画像合成、１７２…マーカ付着部浮上接地用モータ、１７３…付着マーカ、１７６…マーカ付着機構部、１８０…ガラスビーズ、１８１…粘着シート、１８２…マーカ収納部、１８３，１８３−Ａ，１８３−Ｂ…圧力センサ、１８４…照明、１８５…蓋い、２０２…非可視光／可視光カメラ、２０３−Ａ，２０３−Ｂ���非可視光マーカ、２０４…撮影領域、２７０，２７０−Ａ，２７０−Ｂ…チェビシェフクランク機構、Ｆａ，Ｆａ−Ａ，Ｆａ−Ｂ…フレームＡ、Ｆｂ，Ｆｂ−Ａ，Ｆｂ−Ｂ…フレームＢ、Ｆｃ，Ｆｃ−Ａ，Ｆｃ−Ｂ…フレームＣ、Ｐｃ，Ｐｃ−Ａ，Ｐｃ−Ｂ…フレームＣの先端、２７５−Ａ−１，２７５−Ｂ−２…平坦オーバーラップ部、２７６−Ａ，２７６−Ｂ…支柱、２７７−Ａ−１，２７７−Ａ−２，２７７−Ｂ−１…支柱接地点、２８４−Ａ，２８４−Ｂ…非可視光レーザ、３０３−Ａ−１，３０３−Ａ−２，３０３−Ｂ−１，３０３−Ｂ−２…マーカパタン、３２０−１，３２０−２，３２０−３…非可視光／可視光カメラ、３２１…並列マルチカメラ機構部 、３２２−１２−１，３２２−１２−２，３２２−２３−１，３２２−２３−２…並列撮影マーカ用レーザ、３２３−１２−１，３２３−１２−２，３２３−２３−１，３２３−２３−２…並列撮影用マーカ、３２４…並列マルチカメラ支柱・フレーム、３２５…並列マルチカメラ支持アーム、３２６−Ｂ，３２６−Ｃ…並列マルチカメラ移動部、３３０−Ａ，３３０−Ｂ…移動マルチ画像レーザマーカ機構部、３３１−Ａ−１，３３１−Ａ−２，３３１−Ｂ−１，３３１−Ｂ−２…移動マルチ画像マーカ用レーザ、３３２−Ａ，３３２−Ｂ…移動マルチ画像マーカレーザ用支柱、３３３−Ａ−１，３３３−Ｂ−１，３３３−Ａ−２，３３３−Ｂ−２…移動マルチ画像用マーカ、３３４−Ａ，３３４−Ｂ…移動マルチ画像レーザマーカ機構位置検知器部、３３６−Ａ，３３６−Ｂ…移動マルチ画像レーザマーカ移動部、３５０−１，３５０−２，３５０−３…撮影範囲、３６０−Ａ，３６０−Ｂ，３６０−Ｃ…レール、３８０…分離構成制御部、３８１…移動タイミング制御部、３８２…マーカ/撮影タイミング制御部、３８３…シーケンス制御部、４０１…第１の実施形態の本体およびマーカ付与部、４２０−１，４２０−２，４２０−３…非可視光/可視光カメラ、４２１…並列マルチカメラ機構部、４２２−１２，４２２−２３…並列撮影マーカ用レーザ、４２３−１２，４２３−２３…並列撮影用マーカ、４２４…並列マルチカメラ支柱・フレーム、４８０…制御部、４…被写体構造物 
【図１】
2016024516.tif 000010
【図２】
2016024516.tif 000011
【図３】
2016024516.tif 000012
【図４】
2016024516.tif 000013
【図５】
2016024516.tif 000014
【図６】
2016024516.tif 000015
【図７】
2016024516.tif 000016
【図８】
2016024516.tif 000017
【図９】
2016024516.tif 000018
【図１０】
2016024516.tif 000019
【図１１】
2016024516.tif 000020
【図１２Ａ】
2016024516.tif 000021
【図１２Ｂ】
2016024516.tif 000022
【図１２Ｃ】
2016024516.tif 000023
【図１３】
2016024516.tif 000024
【図１４】
2016024516.tif 000025
【図１５】
2016024516.tif 000026
【図１６】
2016024516.tif 000027
【図１７Ａ】
2016024516.tif 000028
【図１７Ｂ】
2016024516.tif 000029
【図１７Ｃ】
2016024516.tif 000030
【図１８】
2016024516.tif 000031
【図１９】
2016024516.tif 000032
【図２０】
2016024516.tif 000033
【図２１】
2016024516.tif 000034
【図２２】
2016024516.tif 000035
【図２３Ａ】
2016024516.tif 000036
【図２３Ｂ】
2016024516.tif 000037
【図２３Ｃ】
2016024516.tif 000038
【図２４】
2016024516.tif 000039